(57)【要約】【課題】転地滞在して自由に行動し楽しむなかで、リアルタイムに健康検診をしながら、時系列的に食事、温泉、行動を融合化し、心脳のリラクゼーション、健康増進、疾病予防、アンチエイジング、脳活性を図る転地滞在型健康保養システムを提供する。【解決手段】システム管理企業の管轄する中央演算処理局１０と、契約者端末装置２０と、移動通信型身体状況計測機器３０と、温泉プラン管理機器４０と、食事プラン管理機器５０と、チャネルパートナー端末装置６０と、外部機関端末装置７０と、転地滞在者端末装置８０とをネットワーク８で結び相互に情報通信できるシステムを構成し、転地滞在者が移動通信型身体状況計測機器を携帯し、随時検知した静的検診データ、動的検診データをネットワークを通じて中央演算処理局に送信し、演算し、処理した情報を記憶し、返信することにより、新規な転地滞在型健康保養システムを実現したものである。【選択図】図１
2006163859.tif 000002
【特許請求の範囲】
【請求項１】
転地滞在において、契約者の有する契約者端末装置と、転地滞在者の有する転地滞在者端末装置と、チャネルパートナーの有するチャネルパートナー端末装置と、外部機関の有する外部機関端末装置と、中央演算処理局の処理サーバとをネットワークで結び相互に情報通信できる転地滞在型健康保養システムであって、
該中央演算処理局の処理サーバが、
該契約者に関する情報を演算し処理する契約者フォローサーバ手段、およびそれらの情報を記憶する契約者情報管理データベース手段と、
該転地滞在者に装着した移動通信型身体状況計測機器に関する情報を演算し処理する食事・温泉・行動融合化健康検診サーバ手段、およびそれらの情報を記憶する転地滞在者情報管理データベース手段および行動プラン管理データベース手段と、
を備えた転地滞在型健康保養システム。
【請求項２】
該中央演算処理局の処理サーバが、
該チャネルパートナーに関する情報を演算し処理するチャネルパートナーフォローサーバ手段、およびそれらの情報を記憶するチャネルパートナー情報管理データベース手段と、
をさらに備えた請求項１記載の転地滞在型健康保養システム。
【請求項３】
該中央演算処理局の処理サーバが、
該転地滞在者の選択した行動プランに伴う食事プラン管理機器および温泉プラン管理機器に関する情報を演算し処理する食事・温泉・行動融合化健康検診サーバ手段およびそれらの情報を記憶する行動プラン管理データベース手段、食事プラン管理データベース手段および温泉プラン管理データベース手段と、
をさらに備えた請求項１記載の転地滞在型健康保養システム。
【請求項４】
該中央演算処理局の処理サーバが、
該契約者のスタッフおよび／または転地滞在者に関する情報を演算し処理する契約者フォローサーバ手段、およびそれらの情報を記憶する契約者情報管理データベース手段および行動プラン管理データベース手段と、
をさらに備えた請求項１または請求項２に記載の転地滞在型健康保養システム。
【請求項５】
該中央演算処理局の処理サーバが、
該契約者の転地滞在者に関する情報を演算し処理する転地滞在者フォローサーバ手段、およびそれらの情報を記憶する転地滞在者情報管理データベース手段と、
をさらに備えた請求項１から請求項３のいずれかに記載の転地滞在型健康保養システム。
【請求項６】
該中央演算処理局の処理サーバが、
該外部機関とのセキュリティや営業決済に関する情報を演算し処理するセキュリティ管理サーバ手段、外部データベース管理サーバ手段または営業決済管理サーバ手段と、
およびそれらの情報を記憶するセキュリティ管理データベース手段、外部データベース情報管理データベース手段または営業決済管理データベース手段と、
をさらに備えた請求項１から請求項４のいずれかに記載の転地滞在型健康保養システム。
【請求項７】
契約者端末装置が、
複数の転地滞在者に関する情報を記憶する転地滞在者情報記憶手段と、
複数のスタッフの作成した基本プランに対応する複数の行動プログラム、料理とそのレシピに関する情報を記憶するスタッフ情報記憶手段と、
転地滞在者に装着した移動通信型身体状況計測機器による静的検診データおよび動的検診データを記憶する転地滞在者情報記憶手段と、
転地滞在者の選択した行動に伴う食事プラン管理機器および温泉プラン管理機器による食事メニュー検知データおよび温泉メニュー検知データを記憶する転地滞在者メニュー検知情報記憶手段とを備え、該契約者端末装置と該中央演算処理局の処理サーバとネットワークで結び相互に情報をリアルタイムに送信し受信することにより、転地滞在者に行動と選択の自由を与える契約者転地滞在管理システム。
【発明の詳細な説明】
【技術分野】
【０００１】
本発明は、自由に行動し楽しむ転地滞在であって、中央演算処理局と契約者端末装置とチャネルパートナー端末装置とをネットワークで情報通信する転地滞在型健康保養システムに関するものである。
【背景技術】
【０００２】
特開２００２−２１５８０４号公報（特許文献１）に、「顧客の有する顧客端末と、ネットワーク上で前記顧客の健康相談又は医療を行う一般医の有する一般医端末と、健康管理サーバとをネットワークで結び相互に情報通信可能な健康・医療管理システムであって、前記健康管理サーバは、前記顧客の健康及び診断情報と前記一般医の情報を登録管理する健康・医療電子カルテデータベースと接続され、前記顧客が前記健康・医療電子カルテデータベースに登録されている前記一般医の中からオンラインホームドクターを選択し、前記健康・医療電子カルテデータベースに登録するオンラインホームドクター登録手段と、前記顧客の送信した健康又は診断についての情報を前記健康・医療電子カルテデータベースに累積的に登録し、前記オンラインホームドクターの端末と前記健康管理サーバとの間で通信する第一の管理手段と、前記オンラインホームドクターによって作成された前記顧客の健康又は診断に対する説明・指示情報を前記健康・医療電子カルテデータベースに累積的に登録し、前記顧客端末と前記健康管理サーバとの間で通信する第二の管理手段と、を具備することを特徴とするネットワークを利用した健康・医療管理システム。（請求項１）」、
【０００３】
「個人別の健康医療情報のデータベース化をはかり、顧客の健康、診断情報の共有化による無駄なコストの削減、個人別健康医療情報の更新、分析結果の連絡、オンラインホームドクター（一般医）に関連する情報の提供、オンラインホームドクターによる健康医療相談や定期的なカウンセリング、コ・メディカルスタッフによる緊急医療相談への対応、セカンドオピニオンとしての治療コンサルティング、顧客の希望に合う実医療機関紹介状の発行、そして治療後フォローの実施や報告をネットワークを用いて容易に行い得る健康・医療管理システムを提供することにある。」という記載がある。
【０００４】
特開２０００−１０２５１４号公報（特許文献２）に、「身体能力が縮退し又は疾患を有する診療対象者の状態情報を常時監視し、該診療対象者について対象となる身体能力縮退又は疾患に関する機能モデルを自律的に作成し、この機能モデルと上記診療対象者の現在の状態情報とを比較、分析、判断して、現在の状態情報の内容が上記機能モデルと一致しないときは外部に対して報告又は援助要求を送出する自律型生体監視判断処理装置と、
上記自律型生体監視判断処理装置からの報告又は援助要求の割り込みにより起動され、診療対象者について診断推論を行って診断候補項目又は診断推論経過を提示し、医師の診断結果により診断内容を上記自律型生体監視判断処理装置へ伝送する生体診療支援装置と、
上記自律型生体監視判断処理装置及び生体診療支援装置の間を双方向通信可能に接続する情報ネットワークと、
を備えて成ることを特徴とする遠隔医療システム。（請求項１）」、
【０００５】
「自宅に居たままの診療対象者の状態情報を常時監視し、該診療対象者について作成した機能モデルと現在の状態情報とを比較、分析、判断して、外部の医療機関に対して身体状態の報告又は援助要求を送出し、医師の診断結果により診断内容を上記診療対象者側へ伝送して診療支援することができる遠隔医療システムを提供することを目的とする。段落番号０００６」という記載がある。
【０００６】
特開２００２−２６３０７１号公報（特許文献３）に、「保険会社の健康管理装置と、無線端末を備えたバイタル情報検出装置とが、ネットワークを介してデータを送受信可能であり、前記バイタル情報検出装置は、顧客のバイタル情報を検出し得るように顧客の身体に装着される検出機構と、所定の時期にバイタル情報を検出してネットワークを介して前記健康管理装置へ報告する報告手段とを有し、前記健康管理装置は、バイタル情報検出装置からのバイタル情報に基づいて当該顧客のポイントを加算する加算手段と、該ポイントの累計値に基づいて当該顧客の次期の保険料を演算する演算手段とを有する、ことを特徴とする健康管理システム。（請求項１）」、
【０００７】
「保険会社の健康管理装置と、スポーツクラブの利用状況管理装置とが、ネットワークを介してデータを送受信可能であり、前記利用状況管理装置は、前記保険会社の顧客の利用回数を計数する計数手段と、前記計数手段による所定期間内の計数結果をネットワークを介して前記健康管理装置へ報告する報告手段とを有し、前記健康管理装置は、利用状況管理装置からの計数結果に基づいて当該顧客のポイントを加算する加算手段と、該ポイントの累計値に基づいて当該顧客の次期の保険料を演算する演算手段とを有する、ことを特徴とする健康管理システム。（請求項７）」、
【０００８】
「脈拍、体温、血圧等のバイタル情報を日常的にモニタして、その結果を医療機関に報告することで、電子カルテに記録して健康管理に役立てたり、必要に応じて適時に詳細な検査を行い得るようにしたいという要請がある。また、上記の結果を保険会社に報告して保険料の割引等に用いることで、上記のモニタについての動機付けを与え、健康増進に役立てたいという要請もある。本発明は、これらの要請に応えることを目的とする。段落番号０００３」という記載がある。
【０００９】
特開２００２−７５７５号公報（特許文献４）に、「消費者に料理又は該料理の食材を提供する料理提供方法において、通信ネットワークを介して前記消費者の身体に関する情報を含む個人情報を受け付け、受け付けた個人情報に基づいて健康診断  を行い、該健康診断の結果及び個人情報の少なくとも一つに基づいて、料理を提案し、該提案に対する料理の提供要求に基づいて調理された料理又は該料理の食材を提供することを特徴とする料理提供方法。（請求項１）」、
【００１０】
「料理を提案する料理提案装置と、該料理提案装置から提案された料理の提供を要求する提供要求装置と、該提供要求装置から要求された料理を受注する受注装置とを備える料理提供システムにおいて、前記提供要求装置は、個人情報の入力を受け付ける手段と、受け付けた個人情報を前記料理提案装置へ送信する手段とを備え、前記料理提案装置は、料理に関する料理情報を記録する料理データベースにアクセスする手段と、受信した個人情報を記録する手段と、該個人情報に基づく健康診断の結果を、個人情報に対応付けて記録する手段と、記録した個人情報及び健康診断の結果の少なくとも一つを検索キーにして、料理データベースから料理情報を抽出する手段と、健康診断の結果及び料理情報を、前記提供要求装置へ送信する手段とを備え、前記提供要求装置は、更に、受信した健康診断の結果及び料理情報を出力する手段と、出力した料理情報に基づく料理の提供を要求する提供要求情報の入力を受け付ける手段と、該提供要求情報を前記料理提案装置へ送信する手段とを備え、前記料理提案装置は、更に、受信した提供要求情報に基づき、料理を発注する料理発注情報を前記受注装置へ送信する手段を備え、前記受注装置は、受信した料理発注情報を出力する手段を備えることを特徴とする料理提供システム。（請求項３）」、
【００１１】
「消費者の健康診断の結果及び個人情報に基づき提案した料理を調理した状態又は調理済みの食材として提供することにより、諸要因により調理することができない消費者に対しても料理を提供することができ、また例えば自然食品を食材として調理した料理を提供することにより、調理状況の差異による栄養配分及び風味の悪化を抑制することができ、食生活に基づく健康管理の向上を促進させることが可能な料理提供方法、その方法を適用した料理提供システム、そのシステムに用いられる料理提案装置、及びその装置を実現するためのプログラムが記録されている記録媒体の提供を主たる目的とする。段落番号０００６」という記載がある。
【００１２】
特開２００３−６７５０３号公報（特許文献５）に、「顧客端末装置から献立案の提示要求を受けると、顧客に関する健康管理上のデータが健康管理データとして蓄積されたデータベースから前記健康管理データを得る手段と、前記健康管理データを考慮した献立案の提示を献立提供サービスに対して依頼して献立案一覧の提示を受けると前記顧客端末装置に対して前記献立案一覧を提示する手段とを有することを特徴とする食生活支援ポータルサーバ。（請求項１）」、
【００１３】
「インターネットを介して顧客端末装置に接続されるとともに、顧客に関する健康管理上のデータを健康管理データとして管理する健康管理サーバ、及び献立案の提供を行う献立提供サーバに接続された食生活支援ポータルサーバを有するシステムであって、前記食生活支援ポータルサーバは、前記顧客端末装置から献立案の提示要求を受けた際前記健康管理サーバに対して当該顧客に関する健康管理データの検索を依頼する手段と、前記健康管理サーバから当該顧客に関する健康管理データを受けると前記献立提供サーバに前記健康管理データを考慮した献立案の提示を依頼する手段と、前記献立提供サーバから献立案一覧の提示を受けると前記顧客端末装置に対して前記献立案一覧を提示する手段とを備えたことを特徴とする食生活支援システム。（請求項６）」、
「健康管理サービス等各種サービスと連携して食生活を支援することのできる食生活支援ポータルサーバ及びこの食生活支援ポータルサーバを用いたシステムを得ることを目的とする。段落番号０００７」という記載がある。
【００１４】
特開２００４−２５２６０４号公報（特許文献６）に、「観光活動を運動量、栄養量、ストレス開放量など健康指標となる要素として分類して計測し、観光活動の前後での健康状態を比較・分析することにより、観光活動の各要素が健康改善・増進に及ぼす効果について、医学・栄養学的に数値評価することを特徴とする観光評価方法。（請求項１）」、
「旅行による休養により健康を増進させるための健康保養型の観光  旅行において、
健康診断を行い、健康状態を検査し、旅行時に必要となる運動量と栄養量を算出し、算出した必要運動量と必要栄養量に適応した観光旅行を計画し、該観光旅行において、必要運動量に適応した観光活動を行い、必要栄養量に適応した郷土料理を食することを特徴とする健康保養型観光旅行方法。（請求項３）」、
【００１５】
「前記の観光活動の選定において、各種の観光活動に対する基準ストレス開放量を計測し、データベース化し、該データベースを用いて、前記の必要ストレス開放量と各観光活動に対する基準ストレス開放量とを照合することで観光活動を選定することを特徴とする請求項６に記載の健康保養型観光旅行方法。（請求項７）」、
「レシピ情報に示した献立メニュー以外のものを飲食した場合や、過剰に摂取した場合に、その摂取した飲食物の情報をホストコンピュータに送信することにより、必要栄養量との差分を修正した変更レシピ情報を送信要求のあった料理提供施設に変更情報として送信するようにしても良い。（段落番号００３１）」、
【００１６】
「これらの各必要要素量から、観光活動を選定して旅行計画を作成２７する。必要運動量に対しては、基準要素ＤＢ２６から該必要運動量に適合した基準運動量となるデータを検索し、その観光行動を抽出する。抽出した観光活動に関する情報を観光情報ＤＢ２５から検索して、その観光行動に対する詳細な情報を入手し、旅行計画を作成２７する。（段落番号００４３）、ここで、作成した旅行計画の疑似体験としてコンピュータを用いてシュミレーションできるようにすることもできる。疑似体験により、問題点を事前に修正することが可能であり、より安心な健康保養型観光旅行となる。また、オプションツアーなどの事前予約も可能である。（段落番号００４４）、
【００１７】
作成した旅行計画に従って観光行動２８及びそれに伴う飲食２９を行い、観光旅行を実行する。該観光行動２８と飲食２９については、その基準値を計測し、基準要素ＤＢ２６にフィードバックする。また、ＧＰＳを用いた携帯端末やＰＨＳなどで現在位置確認を行い、旅行計画に従ってそれらのモニターに地図などを表示してナビゲーションするようにしても良い。また、手首などの身体部に装着できる生体センサーを用いて、運動量やストレス量をリアルタイムに計測して通信手段でフィードバックさせるようにしても良い。（段落番号００４５）」の記載がある。
【００１８】
特開２００１−１７５６７１号公報（特許文献７）に、「健康状態を診断するための質問が記載された問診票に利用者が回答し、その回答に基づいて前記利用者の健康状態を診断してその健康状態に最適な温泉療養を検索する温泉療養検索システムであって、前記利用者を特定するための利用者情報を格納する利用者情報データベースと、前記問診票の回答から前記利用者の健康状態を診断するための診断情報を格納する診断情報データベースと、前記利用者の健康状態に最適な温泉療養施設を選択するための施設情報を格納する施設情報データベースと、前記問診票を表示装置に表示し、この問診票に対する前記利用者の回答を入力装置を介して受け付けて前記利用者情報データベースに格納する利用者問診手段と、この利用者問診手段に入力された前記問診票の回答に基づいて前記診断情報データベースに格納された前記診断情報を検索して、前記利用者に最適な温泉療養を判断して診断結果を作成する診断結果作成手段と、この診断結果作成手段で作成された前記診断結果に基づいて、前記施設情報データベースに格納された前記施設情報を検索して、前記利用者に最適な温泉療養施設を選択する施設選択手段とを含む検索装置とから構成されることを特徴とする温泉療養検索システム。（請求項１）」、
【００１９】
「利用者を特定するための利用者情報と、健康状態を診断するための質問の記載された問診票に対する回答に基づいて前記利用者の健康状態を診断するための診断情報と、前記利用者の健康状態に最適な温泉療養施設を選択するための施設情報とをデータベースに格納し、利用者が前記問診票に回答すると、その回答に基づいて前記利用者の健康状態を診断してその健康状態に最適な温泉療養を検索する温泉療養検索システムの検索装置における検索プログラムを記録した記録媒体であって、前記問診票を表示装置に表示し、この問診票に対する前記利用者の回答を入力装置を介して受け付けて前記データベースに格納する利用者問診処理と、この利用者問診処理で入力された前記問診票の回答に基づいて前記データベースに格納された前記診断情報を検索して、前記利用者に最適な温泉療養を判断して診断結果を作成する診断結果作成処理と、この診断結果作成処理で作成された前記診断結果に基づいて、前記データベースに格納された前記施設情報を検索して、前記利用者に最適な温泉療養施設を選択する施設選択処理とを含むことを特徴とする温泉療養検索システムの検索装置における検索プログラムを記録した記録媒体。（請求項６）」、
【００２０】
「健康状態を診断するための質問が記載された問診票に利用者が回答し、その回答に基づいて医師が診断して、その診断結果から前記利用者の健康状態に最適な温泉療養を検索する温泉療養検索方法であって、前記利用者を特定するための利用者情報と、前記利用者の健康状態に最適な温泉療養施設を選択するための施設情報とをデータベースに格納し、前記利用者によって端末装置から通信網を介して前記問診票の回答と前記利用者情報とが入力されると、医師に前記問診票の回答に対する診断を依頼して、この診断結果を前記データベースに格納するとともに、前記診断結果に基づいて前記施設情報を検索して前記利用者の健康状態に最適な温泉療養施設を選択することを特徴とする温泉療養検索方法。（請求項１６）」、
【００２１】
「健康状態を診断するための質問の記載された問診票に利用者が回答し、その回答に基づいてデータベースを検索して前記利用者の健康状態を診断し、最適な温泉療養施設を選択することのできる温泉療養検索システム、温泉療養検索方法及び温泉療養検索システムの検索装置における検索プログラムを記録した記録媒体を提供することにある。段落番号０００９」という記載がある。
【００２２】
特開２００１−３１９００７号公報（特許文献８）に、「情報通信回線を利用して各種情報の送受信を行う情報通信端末と、温泉療養に関する情報からなる温泉療養情報データベースを有し、上記情報通信回線を介して接続された上記情報通信端末に上記温泉療養情報データベースに基づいて作成された温泉療養の選択のための複数項目からなる温泉療養選択用項目情報を送信し、上記情報通信端末から返信されてきた上記温泉療養選択用項目情報に基づいて作成された回答情報と上記温泉療養情報データベースの情報とに基づいて温泉療養に関する温泉療養情報を作成して、作成した温泉療養情報を上記情報通信端末に送信する情報蓄積装置とを備えたことを特徴とする温泉療養紹介システム。（請求項１）」、
【００２３】
「情報通信回線を介して接続された情報通信端末に温泉療養に関する情報からなる温泉療養情報データベースに基づいて作成された温泉療養の選択のための複数項目からなる温泉療養選択用項目情報を送信する第１の送信工程と、上記情報通信端末から返信されてきた上記温泉療養選択用項目情報に基づいて作成された回答情報と上記温泉療養情報データベースの情報とに基づいて温泉療養に関する温泉療養情報を作成する温泉療養情報作成工程と、上記温泉療養情報作成工程にて作成した温泉療養情報を上記情報通信端末に送信する第２の送信工程とを有することを特徴とする温泉療養紹介方法。（請求項１１）」、
「より簡易にして、かつ最適な温泉療養を紹介する温泉療養紹介システム及び温泉療養紹介方法を提供することを目的としている。」という記載がある。
【００２４】
南日本新聞平成１４年９月２０日（非特許文献１）に、「豊富な温泉を核に本格的な健康リゾートづくりを産官学で進めようと鹿児島県工業倶楽部に「食・運動・温泉融合化研究会」が設立され、」、「県内には豊かな自然、食材、研究機関、そして温泉と、素材は質の高いものがそろっている。後はそれらを有機的に結びつけられるか、だ。」との記事がある。
【００２５】
南日本新聞平成１５年１月２３日（非特許文献２）に、「経済再生の原動力に」、「鹿児島県工業倶楽部の新年大会が２１日、鹿児島市であり、会員約二百人が参加した。・・・・。食・運動・温泉融合化（有村佳子代表）が、研究の現状などを報告した。」との記事がある。
【００２６】
南日本新聞平成１５年０６月１０日（非特許文献３）に、「指宿の温泉と海  産業に生かして」、「タラソセミナーに８０人」との記事がある。
読売新聞平成１６年２月１０日（非特許文献４）に、「西部フォーラム鹿児島会議  温泉活用策  知恵絞る」の「パネルディスカッションがあり、約１００人が傍聴した。」との記事がある。
【００２７】
日本経済新聞平成１６年２月１３日（非特許文献５）に、「ラフォーレ修善寺は、・・・温泉ストレッチや指圧の方法を指導し、食事は三食通して全体の栄養バランスや機能性、カロリーを考慮したメニューを提供する。一泊三食付き一万九千八百円。」との記事がある。
【００２８】
西日本新聞平成１６年６月９日（非特許文献６）に、「温泉旅して健康学ぼう」、「天然砂蒸し温泉で知られる鹿児島県指宿市に四、五日滞在し、医師が参加者の健康チェック、食事や運動指導を行い、健康な体づくりを目指す。」、「一日二回は天然砂蒸し温泉で身体をリラックスさせる。食事は鹿児島の食材をふんだんに使ったメニュー。最終日には医師が健康診断し、生活習慣病予防のための指導をする。」との記事がある。
【００２９】
南日本新聞平成１６年７月１３日（非特許文献７）に、「モニタリング調査開始」、「病院で、血液採取や超音波による動脈血流検査、食生活の聞き取り調査」、「砂蒸し温泉と約三十分のウォーキングを午前と午後に行い、最終日に再度血液検査などして効果をみる。」という記事がある。
【００３０】
フジサンケイ新聞平成１６年１０月２６日（非特許文献８）に、「常磐興産（いわき市）は、「温泉ドック」と名付けて・・・内蔵脂肪などを装置によって測定することで血液年齢を算出。血液年齢を末梢血管抵抗や血圧などを測定する手法で数値化する。・・阿岸祐幸名誉教授によるプログラムで、コース開始前と終了時に結果を知らせる。」という記事がある。
【００３１】
【特許文献１】特開２００２−２１５８０４号公報
【特許文献２】特開２０００−１０２５１４号公報
【特許文献３】特開２００２−２６３０７１号公報
【特許文献４】特開２００２−７５７５号公報
【特許文献５】特開２００３−６７５０３号公報
【特許文献６】特開２００４−２５２６０４号公報
【特許文献７】特開２００１−１７５６７１号公報
【特許文献８】特開２００１−３１９００７号公報
【非特許文献１】南日本新聞平成１４年９月２０日
【非特許文献２】南日本新聞平成１５年１月２３日
【非特許文献３】南日本新聞平成１５年０６月１０日
【非特許文献４】読売新聞平成１６年２月１０日
【非特許文献５】日本経済新聞平成１６年２月１３日
【非特許文献６】西日本新聞平成１６年６月９日
【非特許文献７】南日本新聞平成１６年７月１３日
【非特許文献８】フジサンケイ新聞平成１６年１０月２６日
【発明の開示】
【発明が解決しようとする課題】
【００３２】
しかしながら、特許文献１には、オンラインホームドクターとセカンドオピニオンとして治療コンサルティングする一般医と顧客とを結び、顧客の健康及び診断情報をネットワークに通して利用した健康・医療管理システムであって、医療・治療に以外に情報を開示できないという問題点があり、当然のことながら観光旅行、料理の献立などに利用することができない。
また、特許文献２には、自宅に居たままの診療対象者の状態情報を常時監視する遠隔医療システムであって、診療対象者の状態情報を比較、分析、判断することができても屋外を自由に行動する診療対象者に有効活用できないなどの問題点がある。
特許文献３には、スポーツクラブ等において顧客のバイタル情報を検出し得るように顧客の身体に装着される検出機構による結果をそのまま医療機関に報告することで、電子カルテに記録して健康管理するシステムで、顧客の身体に装着される検出機構による結果を演算処理することなく、また、医師の診断情報であるため開示できないクローズドシステムであるなどの問題があった。
【００３３】
特許文献４には、健康診断の結果及び個人情報の少なくとも一つに基づいて、料理を提案し、該提案に対する料理の提供要求に基づいて調理された料理又は該料理の食材を提供する料理提供方法であるため、顧客の自由意志による食事メニューの選択もしくはバイキング等の選択をすることができないなどの問題があった。
特許文献５には、健康管理データを考慮した献立案の提示を献立提供サービスに対して依頼して献立案一覧の提示する食生活支援システムであり、加療者に対する日常生活の食生活を支援するシステムであり、個人の自由行動に伴ってリアルタイムに、双方向に情報通信することができないなどの問題があった。
【００３４】
特許文献６には、医師が診断することを前提として、観光活動の前後での健康状態を比較・分析することにより、観光活動の各要素が健康改善・増進に及ぼす効果について、医  学・栄養学的に数値評価することを特徴とする健康保養型観光旅行方法であり、旅行計画の疑似体験としてコンピュータを用いてシュミレーションした疑似体験により、問題点を事前に修正し、より安心な健康保養型観光旅行をする健康保養型観光旅行方法であり、必要栄養量との差分を修正した変更レシピ情報を送信要求のあった料理提供施設に変更情報として送信することのみの旅行方法であり、データベースを用いて、前記の必要ストレス開放量と各観光活動に対する基準ストレス開放量とを照合することで観光活動を選定することを特徴とするものであり、旅行期間中において自由に変更ができないなどの問題があった。
【００３５】
特許文献７には、健康状態を診断するための質問が記載された問診票に利用者が回答し、その回答に基づいて前記利用者の健康状態を診断してその健康状態に最適な温泉療養を検索する温泉療養検索システムであり、診断結果作成手段で作成された前記診断結果に基づいて、前記施設情報データベースに格納された前記施設情報を検索して、前記利用者に最適な温泉療養施設を選択する施設選択手段とを含む検索装置とから構成されることを特徴とする温泉療養検索システムであり、個人の自由行動に伴ってリアルタイムに、双方向に情報通信することができないことや、個人の判断により温泉施設の選択ができないこと、心脳のリラクゼーション目的の温泉入浴方法に対応していないこと、食・温泉・行動が融合化していないことなどの問題があった。
特許文献８には、情報通信回線を利用して、より簡易にして、かつ最適な温泉療養を紹介する温泉療養紹介システム及び温泉療養紹介方法を提供するものであり、療養地における療養者の情報についてはなにもなく、ましてや食事・運動・温泉についての情報は得られないなどの問題があった。
【００３６】
非特許文献１、非特許文献２には、豊富な温泉を核に本格的な健康リゾートづくりをする特許文献６に記載されている内容について開示されている。あらかじめ作成された観光プランにしたがって行動し、指導された運動方法たとえばウォーキングの方法を実行し、決められた食事メニューを食し、指導された温泉入浴方法に従って入浴するものであり、非特許文献６や非特許文献７の記事にあるように、具体的にモニタしたところ、いくつかの改良すべき点が分かった。事前のプランと実際の行動とは必ずしも一致しないこと、指導通りに実行できないこと、病院内と異なり検診状態が一定しないので結果が不明確であり、医師の診断の曖昧とならざるを得ないこと、費用がかかりすぎて参加者が見込めないこと、リピートが期待し難いことなどである。
その後、非特許文献４から８の記事に見られるように、健康療養しながら観光するという試みがなされている。いずれも事前に組まれたプランをもとに観光旅行をし、滞在するもので、食・運動・温泉の融合化を実現するものに至っていない。
【００３７】
本発明は、未病者もしくは健常者が転地滞在して自由に行動し楽しむなかで、移動通信型身体状況計測機器から検知した結果をデータ処理し、リアルタイムに健康検診をしながら、時系列的に食事、温泉、行動を融合化し、心脳のリラクゼーション、健康増進、疾病予防、アンチエイジング、脳活性を図る転地滞在型健康保養システムを提供することを目的とする。
また、転地滞在者が異なる契約者の健康保養プランに自由に参加でき、身体状況を蓄積でき、生活活動・健康などの自己管理に利用できる転地滞在型健康保養システムを提供することを目的とする。
【課題を解決するための手段】
【００３８】
本願発明者は、鋭意研究の結果、転地滞在者が行動の自由、選択の自由という新しい概念の転地滞在型健康保養を提案し、参加した転地滞在者が無意識のうちに身体状況を計測し、演算し、評価しながら、必要に応じて評価結果を参考にアドバイスする転地滞在型健康保養システムの発明を完成し、上記課題を解決した。すなわち、
本発明は、システム管理企業の管轄する中央演算処理局１０と、契約者端末装置２０と、移動通信型身体状況計測機器３０と、温泉プラン管理機器４０と、食事プラン管理機器５０と、チャネルパートナー端末装置６０と、外部機関端末装置７０と、転地滞在者端末装置８０とをネットワーク８で結び相互に情報通信できるシステムを構成し、転地滞在者が移動通信型身体状況計測機器を携帯し、随時検知した静的検診データ、動的検診データをネットワークを通じて中央演算処理局に送信し、演算し、処理した情報を記憶し、返信することにより、新規な転地滞在型健康保養システムを実現したものである。
【００３９】
本発明にいう行動とは、いわゆる運動のみに限らず、静止したリラックス状態、睡眠も含む生活活動の全てをいう。
本発明にいう中央演算処理局とは、処理サーバとデータベースを備えた演算処理部局であり、処理サーバは契約者フォローサーバ、転地滞在者フォローサーバ、チャネルパートナーフォローサーバ、食事・温泉・行動融合化健康検診サーバ、セキュリティ管理サーバ、外部データ管理サーバ、決済管理サーバを備え、データベースは転地滞在者情報管理データベース、契約者情報管理データベース、行動プラン管理データベース、食事プラン管理データベース、温泉プラン管理データベース、外部データベース情報管理データベース、営業決済管理データベースを主として備えているものである。
本発明にいうネットワークとは、中央演算処理局と端末機器を結ぶ情報通信網であり、インターネット、テレビジョン、無線通信、携帯電話、専用回線等を含む電気通信回路をいう。
【００４０】
本発明にいう契約者とは、本願システムの中央演算処理局を統括する企業体と本願システムを実施する契約を締結した者であり、ホテル・旅館、温泉協同組合、企業・団体等をいう。
本発明にいう転地滞在者とは、主として未病者、健常者、または転地滞在可能な者であり、申込書、問診表および事前許諾書を提出した、第三者認証機関から認証を受けた者をいう。
【００４１】
本発明にいう契約者端末装置とは、契約者の所有するネットワーク接続可能で演算処理可能なコンピュータ端末装置であって、中央演算処理局と、スタッフ端末装置と、転地滞在者端末装置と情報通信し、それらの情報を演算し、処理し、記憶するコンピュータ端末装置である。
本発明にいう転地滞在者端末装置とは、ネットワークを通じて転地滞在者フォローサーバと、契約者端末装置とからの情報を受信可能なコンピュータ端末装置であって、それらの情報を演算し、処理し、記憶すると共に、生活活動・健康などの自己管理に利用するコンピュータ端末装置である。
【００４２】
本発明にいう外部機関とは、会費や契約料や経理や会計等の営業決済できる、契約者やチャネルパートナーおよび転地滞在者の認証できる、各種データ、データ処理プログラム、システムソフトなどのデータ取得できる金融機関、第三者認証機関、データバンク、データベースプロデューサ等をいう。
【００４３】
本発明にいうチャネルパートナーとは、国家資格を有する専門家
であり、医師、温泉・海水指導士、運動療法士、運動療法士、栄養士、あん摩マッサージ指圧師、一般旅行業務取扱主任者、介護支援専門員、介護福祉士、看護士、管理栄養士、管理美容師、管理理容師、国内旅行業務取扱主任者、作業療法士、歯科医師、歯科衛生士、歯科技工士、社会福祉士、柔道整復師、準看護婦、情報処理技術者、製菓衛生士、精神保健福祉士、ネットワークスペシャリスト、はり師、きゅう師、美容師、保健士、マイコン応用システムエンジニア、薬剤師、臨床検査技師、臨床工学技士、通訳案内業などをいう。
【００４４】
本発明にいうスタッフとは、国家資格以外の資格を有する準専門家
であり、看護指導員、温泉指導員、運動インストラクター、栄養指導員、観光ガイド、茶道人、陶芸士、工芸士、華道人、導師、農業指導員、衣料管理士、医療秘書技能検定、インテリアコーディネーター、インテリアプランナー、カイロプラクター、カラーコーディネーター検定、キッチンスペシャリスト、きものコンサルタント、計算実務能力検定、毛糸編物技能検定、健康運動指導士、工業英語能力検定、実用イタリア語検定、児童英検、シニアライフ・アドバイザー、シューフィッター、珠算検定、珠算実務検定、珠算能力検定、手話通訳士、商業英語  （国際ビジネスコミュニケーション）検定、少年スポーツ指導員、消費生活アドバイザー、消費生活コンサルタント、情報処理技能資格検定、情報処理検定試験、情報処理能力検定、食品冷凍技士、森林インストラクター、スペイン語技能検定、スポーツ指導員、スポーツプログラマー、フィットネストレーナー、ソムリエ、ワインアドバイザー、ワインエキスパート、中国語検定、通訳技能検定、ティーインストラクター、電卓・ポケコン技能検定、電卓技能検定、電卓計算能力検定、伝統工芸士、ドイツ語技能検定、毒物劇物取扱責任者、トレーニング指導士、日本漢字能力検定、日本語教育能力検定、日本語文章処理技能検定、日本語文章処理技能マスター、パーソナルコンピュータ利用技術認定、ハングル能力検定、ビアテイスター、ビジネスコンピューティング、ビジネス実務法務、ビジネス能力検定、ファイナンシャル・プランナー、ファッションコーディネート色彩能力検定、福祉レクリエーション・ワーカー、ふぐ調理師、フラワーコーディネーター、文章処理能力検定、簿記検定、簿記実務検定、簿記能力検定、ボランティア通訳検定、翻訳基礎能力検定、マイクロソフトオフィスユーザースペシャリスト、マイクロソフトオフィシャルトレーナー、マイクロソフト認定技術資格制度、マルチメディア検定、毛筆書写検定、洋裁技術検定、余暇生活開発士・相談員、旅行業英語検定、旅行地理検定、臨床心理士、レース編物技能検定、レクリエーションインストラクター、レクリエーションコーディネーター、レタリング技能検定、ロータス認定１−２−３ユーザー検定、ロータス認定トレーナー、ロシア語能力検定、和裁検定、をいう。
【００４５】
本発明にいうバイタル情報とは、生命維持に必要な器官の情報であり、体温、脈拍（心拍数）、血圧、歩数計の検出値（歩数）、運動センサ（「運動の強さ」「継続時間」「頻度」）、血糖値、心電図、脈派、呼吸の有無、発汗量等をいう。
本発明にいう身体情報とは、人間の身体的特徴であり、年齢、性別、身長、体重、胸囲、腹囲、体脂肪、体組成、骨量、基礎代謝量、内臓脂肪、筋肉量、体内水分量、尿回数、便回数等をいう。
【００４６】
本発明にいうストレス開放量とは、人間に加わるストレスの程度を測定する指標であり、脳波（α波、β波、γ波）、ＳｐＯ２  （動脈血酸素飽和度）、唾液、ＲＮＡ量等をいう。
本発明にいう疲労度とは、人間に加わる疲労の程度を表す指標であり、乳酸値、マイナスイオン値、ドーパミン等をいう。
本発明にいう行動種別とは、食事、行動、温泉入浴の位置の情報と内容の情報を表す指標であり、ＧＰＳ位置データ、ＩＣタグ発信地データ等をいう。
本発明にいう脳活性とは、脳の活性向上変化や痴呆症の改善変化等を表す指標であり、単純計算パターン、ゲーム達成パターン、物忘れパターン等をいう。
【００４７】
本発明にいう移動通信型身体状況計測器とは、滞在型保養中の転地滞在者に携帯して、
バイタル情報、身体情報、ストレス開放量、疲労度、行動種別、脳活性を計測し、データ通信を行う機器であり、バイタル情報検出装置、身体情報検出装置、ストレス開放量検出装置、疲労度検出装置、行動種別検出装置、脳活性検出装置等をいう。
本発明にいうバイタル情報検出装置とは、バイタル情報を計測する機器であり、
脈拍計，体温計，血圧計，歩数計，運動カロリー測定器、血糖値計、心電計、脈派計等をいう。
【００４８】
本発明にいう身体情報検出装置とは、身体情報を計測する機器であり、身長計、体重計、体脂肪計、体組成計、骨量計、基礎代謝量計、内臓脂肪計、筋肉量計、体内水分計等をいう。
本発明にいうストレス開放量検出装置とは、ストレス開放量を計測する機器であり、脳波計、血中酸素飽和度計（パルスオキシメーター）等をいう。
本発明にいう疲労度検出装置とは、疲労度を計測する機器であり、乳酸値測定計、マイナスイオン測定計等をいう。
【００４９】
本発明にいう行動種別検出装置とは、行動種別を計測する機器であり、域内は位置検出器、例えばリストバンド状ＩＣタグ、防水型リストバンド状ＩＣタグ、アクティブ型ＲＦＩＤ、アクティブ型ＲＦＩＤ位置検知機器、チェックポイント検知機器、チェックポイント用リストバンド等、域外はＧＰＳ機能を持つ機器、例えばＧＰＳ機能付き携帯電話、ＧＰＳ付きカーナビゲーションシステム機器、ＧＰＳ機器等をいう。
本発明にいう脳活性検出装置とは、脳活性を計測する機器であり、単純計算パターン、ゲーム達成パターン、物忘れパターン等から得られた向上指数等を得るものをいう。
【００５０】
本発明にいう食事プラン管理機器とは、食事メニュー検知装置と食事メニュー表示装置の情報の受発信する端末装置機能を持つ機器である。
本発明の食事メニュー検知装置として、ＩＣタグ装着料理皿、ＩＣタグ装着トレイおよびこれらからデータを受信し、食事プラン管理機器に送信する装置が挙げられる。
食事メニュー表示装置としては、ＧＰＳ機能付き携帯電話、パソコンを含むコンピュータディスプレイであり、食事メニュー、一品料理、それらのレシピ、カロリーなどを表示するものである。
本発明にいう温泉プラン管理機器とは、温泉メニュー検知装置と温泉メニュー表示装置の情報の受発信する端末装置機能を持つ機器である。
【００５１】
本発明にいう静的検診データとは、安静または安定状態での身体の検査測定値であり、バイタル情報、身体情報、ストレス開放量、疲労度、脳活性などの値をいう。
本発明にいう動的検診データとは、活動状態での身体の検査測定値であり、バイタル情報、身体情報、ストレス開放量、疲労度、脳活性などの値をいう。
【００５２】
本発明の転地滞在型健康保養システムは、転地滞在において、契約者の有する契約者端末装置と、転地滞在者の有する転地滞在者端末装置と、チャネルパートナーの有するチャネルパートナー端末装置と、外部機関の有する外部機関端末装置と、中央演算処理局の処理サーバとをネットワークで結び相互に情報通信できる転地滞在型健康保養システムであって、
該中央演算処理局の処理サーバが、該契約者に関する情報を演算し処理する契約者フォローサーバ手段、およびそれらの情報を記憶する契約者情報管理データベース手段と、
該転地滞在者に装着した移動通信型身体状況計測機器に関する情報を演算し処理する食事・温泉・行動融合化健康検診サーバ手段、
およびそれらの情報を記憶する転地滞在者情報管理データベース手段および行動プラン管理データベース手段とを備えたものである。
【００５３】
本発明の転地滞在型健康保養システムは、該中央演算処理局の処理サーバが、
該チャネルパートナーに関する情報を演算し処理するチャネルパートナーフォローサーバ手段、およびそれらの情報を記憶するチャネルパートナー情報管理データベース手段とをさらに備えたものも含まれる。
本発明の転地滞在型健康保養システムは、該中央演算処理局の処理サーバが、
該転地滞在者の選択した行動プランに伴う食事プラン管理機器および温泉プラン管理機器に関する情報を演算し処理する食事・温泉・行動融合化健康検診サーバ手段と
およびそれらの情報を記憶する行動プラン管理データベース手段、食事プラン管理データベース手段および温泉プラン管理データベース手段とをさらに備えたものも含まれる。
【００５４】
本発明の転地滞在型健康保養システムは、該中央演算処理局の処理サーバが、
該契約者のスタッフおよび／または転地滞在者に関する情報を演算し処理する契約者フォローサーバ手段と、
およびそれらの情報を記憶する契約者情報管理データベース手段および行動プラン管理データベース手段と、をさらに備えたものも含まれる。
【００５５】
本発明の転地滞在型健康保養システムは、該中央演算処理局の処理サーバが、
該契約者の転地滞在者に関する情報を演算し処理する転地滞在者フォローサーバ手段と、およびそれらの情報を記憶する転地滞在者情報管理データベース手段とをさらに備えたものも含まれる。
【００５６】
本発明の転地滞在型健康保養システムは、該中央演算処理局の処理サーバが、
該外部機関とのセキュリティや営業決済に関する情報を演算し処理するセキュリティ管理サーバ手段、
外部データベース管理サーバ手段または営業決済管理サーバ手段、
およびそれらの情報を記憶するセキュリティ管理データベース手段と、
外部データベース情報管理データベース手段と、または営業決済管理データベース手段とをさらに備えたものも含まれる。
【００５７】
本発明の契約者転地滞在管理システムは、契約者端末装置が、
複数の転地滞在者に関する情報を記憶する転地滞在者情報記憶手段と、
複数のスタッフの作成した基本プランに対応する複数の行動プログラム、料理とそのレシピに関する情報を記憶するスタッフ情報記憶手段と、
転地滞在者に装着した移動通信型身体状況計測機器による静的検診データおよび動的検診データを記憶する転地滞在者情報記憶手段と、
転地滞在者の選択した行動に伴う食事プラン管理機器および温泉プラン管理機器による食事メニュー検知データおよび温泉メニュー検知データを記憶する転地滞在者メニュー検知情報記憶手段とを備え、
該契約者端末装置と該中央演算処理局の処理サーバとネットワークで結び相互に情報をリアルタイムに送信し受信することにより、転地滞在者に行動と選択の自由を与えるものである。
【発明の効果】
【００５８】
転地滞在者や観光旅行者が、現地でこの転地滞在型健康保養システムを知り、希望するならば、直ちに参加し、旅を愉しむことができる。
健康診断や人間ドックのように病気を意識して過度に落ち込んだり、行動を制限することもなく、自由に楽しく行動することができる。
食事の量や質を自由に選択でき、目標との差異があっても拘束する者もいないので、滞在地の食材を心おきなく、満たされた気分で食することができる。
防水型リストバンド状ＩＣタグやＧＰＳ機能付き携帯電話を携帯しているので、コースから外れても、存在位置の確認、状況の連絡などスムースに行うことができる。
従来のように時間刻みのスケジュールに振り回されることなく、ノンビリと森林浴、大気浴を満喫し、心脳のリラクゼーションを行うことができる。
サプリメントの補完作用により血液の浄化・活性化、抗酸化作用による老化防止など日常生活にも応用できるので、生活活動・健康などの自己管理にも役立てることができる。
身体状況のデータが一箇所で統括管理されているので、本願システムの契約者の異なる場所に転地滞在できる。
ちょっとした遊びの中に脳活性を図ることができる。
【発明を実施するための最良の形態】
【００５９】
本発明の実施形態である転地滞在型健康保養システムの構成ブロック図を図１に示す。
本転地滞在型健康保養システムは、システム管理企業の管轄する中央演算処理局１０と、契約者端末装置２０と、移動通信型身体状況計測機器３０と、温泉プラン管理機器４０と、食事プラン管理機器５０と、チャネルパートナー端末装置６０と、外部機関端末装置７０と、転地滞在者端末装置８０とをネットワーク８で結び相互に情報通信できるシステムであって、転地滞在者が転地滞在中、行動の自由、選択の自由を楽しみながら、食事、温泉、行動を融合化し、心脳のリラクゼーション、健康増進、疾病予防、アンチエイジング、脳活性を図ることができるシステムである。
【００６０】
中央演算処理局１０は、処理サーバ１００と情報管理データベース部（図、符号を省略）を備えている。処理サーバ１００には、契約者端末装置２０と情報通信し、データの演算・処理する契約者フォローサーバ１２０と、移動通信型身体状況計測機器３０や温泉プラン管理機器４０や食事プラン管理機器５０と情報通信し、データの演算・処理する食事・温泉・行動融合化健康検診サーバ１３０と、チャネルパートナー端末装置６０情報通信し、データの演算・処理するチャネルパートナーフォローサーバ１６０と、外部機関端末装置７０と情報通信し、データの演算・処理するセキュリティ管理サーバ１７０、決済管理サーバ１９０および外部データベース管理サーバ（図、符号を省略）を備えている。情報管理データベース部には、契約者情報管理データベース１２１と、転地滞在者情報管理データベース１８１と、チャネルパートナー情報管理データベース１６１と、行動プラン管理データベース１３１と、食事プラン管理データベース１５１と、温泉プラン管理データベース１４１と、外部データベース情報管理データベース（図、符号を省略）などの情報を記憶し管理する機能が仕分けされて備わっている。
【００６１】
転地滞在者の滞在地における行動および健康状態に関する情報を得るものとしての移動通信型身体状況計測機器３０には、バイタル情報検出装置３１０、身体情報検出装置３２０、ストレス開放量検出装置３４０、疲労度検出装置３５０、行動種別検出装置３３０、脳活性検出装置３６０などの検出装置からのデータ情報を記憶し、ネットワーク８を通じて処理サーバ１００、食事・温泉・行動融合化健康検診サーバ１３０と情報通信する機能を備えている。
【００６２】
契約者端末装置２０は、中央演算処理局１０と、転地滞在者端末装置８０とネットワーク８を通じて情報通信することができると共に、契約者とスタッフ契約している国家資格以外の資格を有する準専門家のスタッフ端末装置９０を結んで各種のプランやプログラムやメニューを作成することもできる機能を持っている。
各種のプランやプログラムの一例として、温泉プラン、食事プラン、行動プランをそれぞれ表１、表２、表３に示す。
【００６３】
温泉プランは、砂むし入浴プラン（湯温５５℃  入浴時間１５分×２回  １，４００ｋｃａｌ）と、ホテル温泉入浴プラン（湯温４０℃  入浴時間１０分当たり５５ｋｃａｌ  ／  湯温４２℃  入浴時間１０分当たり１１０ｋｃａｌ）と、クアハウス温泉入浴プランと、組み合わせ温泉入浴プランと、湯めぐり温泉入浴プランとの四種類に大別したプランから構成される。
砂むし入浴プランは、砂むし入浴１５分プログラム（温泉入浴代謝量：７００ｋｃａｌ）、砂むし入浴２０分プログラム（温泉入浴代謝量：９３０ｋｃａｌ）、砂むし入浴２５分プログラム（温泉入浴代謝量：１，１６０ｋｃａｌ）があり、さらに、ホテル・旅館とスタッフが趣向を凝らした温泉メニューを提示することができる。
【００６４】
行動プランは、心脳目的融合プランと、趣味目的融合プランと、観光目的融合プランと、軽度運動融合プランと、中度運動融合プランとの五種類に大別したプランから構成される。
心脳目的融合プランには、気ままプログラム、瞑想プログラム（座禅・ヨガ）などが用意され、趣味目的融合プランには、工芸・陶芸プログラム、バードウォッチングプログラム、音楽プログラム（鑑賞・歌唱・演奏）などが用意され、観光目的融合プランには、  観光地遊覧プログラム（平地：１２０分）（運動代謝量：１００〜２００ｋｃａｌ）、観光地遊覧プログラム（山地：１２０分）（運動代謝量：１００〜４００ｋｃａｌ）、体験型観光プログラム（園芸・農業）（運動代謝量：１００〜４００ｋｃａｌ）、ふれあい探索型観光プログラム（自由行動）（運動代謝量：１００〜２００ｋｃａｌ）、植樹プログラム（運動代謝量：１００〜２００ｋｃａｌ）などが用意され、軽度運動融合プランには、ウォーキングプログラム（４０分）（運動代謝量：１００〜２００ｋｃａｌ）、水中ウォーキングプログラム（運動代謝量：２００〜４００ｋｃａｌ）、ウォーキング膝・腰強化プログラム（運動代謝量：０〜１００ｋｃａｌ）、ウォーキング胃腸強化プログラム（運動代謝量：０〜１００ｋｃａｌ）、  民俗舞踏プログラム（運動代謝量：０〜１００ｋｃａｌ）などが用意され、中度運動融合プランには、ジョギングプログラム、トレッキングプログラム、ゴルフプログラムなどが用意され、さらに、ホテル・旅館とスタッフが趣向を凝らした行動メニューが提示される。
【００６５】
食事プランは、朝食プラン（４００〜８００ｋｃａｌ）と、昼食プラン（５００〜９００ｋｃａｌ）と、夕食プラン（７００〜１，５００ｋｃａｌ）と、おやつプラン（ｋｃａｌ）との四種類に大別したプランから構成される。
朝食プランには、バイキングプログラム、和食定食プログラム、洋食定食プログラムなどが用意され、昼食プランには、弁当プログラム、膳プログラム、外食プログラムなどが用意され、夕食プランには、会席料理プログラム、鍋料理プログラム、肉料理プログラム、コース料理プログラムなどが用意され、おやつプランには、名物菓子類プログラム（和菓子）、喫茶プログラム（コーヒー・紅茶）、飲茶プログラム（中国茶・点心）、健康食品・健康飲料プログラム、駄菓子プログラム、フルーツ・アイスクリームプログラムなどが用意され、さらに、ホテル・旅館とスタッフが趣向を凝らした食事メニューが提示される。
【００６６】
チャネルパートナー端末装置は、医師６１０、温泉・海水指導士６３０、運動療法士６５０、栄養士６７０などの国家資格を有する専門家からの情報を受送信できるコンピュータ装置である。たとえば、希望により直接現場に立ち会って検診や診断することはあっても、通常は、演算処理された検診データチェックシートをチェックすることで異常値あるいは疾病等を指摘するので、転地滞在者の状況に迅速に対処できる。
【００６７】
転地滞在希望者が問診等を表示に従って入力された契約者端末装置２０は処理サーバ１００を通じて転地滞在者情報管理データベース１８１に照合した。滞在者情報管理データベース１８１は、その照合データを食事・温泉・行動融合化健康診断サーバ１３０へ送り、演算・処理させた。
転地滞在希望者の受付可否に疑義の生じたチャネルパートナーフォローサーバ１６０はチャネルパートナー端末装置６０を通じて医師６１０に判断を求めた。許諾できると判断した医師６１０はその判断結果をチャネルパートナー端末装置６０を通じて処理サーバ１００にその結果を送り処理サーバ１００は契約者端末装置２０に受付可の判断結果を送信した。
転地滞在を許可された転地滞在希望者は行動種別検出装置３３０である防水型リストバンド状ICタグ３３１を装着し、GPS機能つき携帯電話３３３を渡した。
移動通信型身体状況計測機器３０のバイタル情報検出装置３１０である携帯型心電計３１１と運動カロリー測定器３１３と血糖値計３１５と、身体情報検出装置３２０である体組成計３２１と身長計３２３と、行動種別検出装置３３０である防水型リストバンド状ＩＣタグ３３１とGPS機能つき携帯電話３３３と、ストレス開放量検出装置３４０であるパルスオキシメーター３４１と脳波計３４３と、疲労度検出装置３５０である乳酸値測定計３５１からバイタル情報データと、身体情報データと、ストレス開放量データと、疲労度データと、行動種別データからなる静的検診データを受信し、契約者端末装置２０と中央演算処理局の処理サーバ１００を通し、食事・温泉・行動融合化健康検診サーバが１３０静的検診データを演算・処理し、契約者情報管理データベース１２１、行動プランデータベース１３１、温泉プラン管理データベース１４１、食事プラン管理データベース１５１に記憶させた。
受信された検診データを食事・温泉・行動融合化健康検診サーバ１３０で演算・処理し、転地滞在者健康管理データベース１８１に記憶させた。
転地滞在者健康管理データベース１８１の検診データを食事・温泉・行動融合化健康検診サーバ１３０で演算・処理し、得られた一日の健康保養プラン案を契約者端末装置２０へ送信した。健康保養プラン案を転地滞在者に示し、選択させた。
契約者情報管理データベース１２１、行動プランデータベース１３１、温泉プラン管理データベース１４１、食事プラン管理データベース１５１から食事・温泉・行動融合化健康検診サーバ１３０は選択した行動プランの運動代謝量と、基礎代謝量から得られる運動代謝量とを比較し、目的とする一日の総運動代謝量を満たす食事プランを検索・処理し、契約書フォローサーバー１２０に送り、食事プラン管理データベース１５１に蓄積された食事プランから、いくつかの食事プログラムを検索・処理して食事プラン管理機器５０を通して食事メニュー表示装置５５０に送信し、出力した。この食事プログラムを見ながら、転地滞在者は食事プログラムの選択を行った。
転地滞在者健康管理データベース１８１から転地滞在者に対応したデータを取り出し、食事・温泉・行動融合化健康検診サーバ１３０で、検診データと問診表データを演算・処理し、行動プランデータベース１３１から転地滞在者に対応した行動プランを取り出した。食事プラン管理データベース１５１から転地滞在者に対応した食事メニューを取り出した。温泉プラン管理データベース１５１から転地滞在者に対応した温泉メニューを取り出した。転地滞在者の検診データと、行動プランと、食事メニューと、温泉メニューと、を演算・処理し、転地滞在者の健康保養プランを作成して得られた健康保養プラン案を契約者端末装置２０へ送信した。
健康保養プラン案を転地滞在者に示し、選択させた。  選択させた結果を処理サーバ１００に送信した。  選択した行動プランの運動代謝量と、基礎代謝量から得られる運動代謝量とを比較し、目的とする総運動代謝量を満たす食事プランを検索・処理する。食事プラン管理データベース１５１に蓄積された食事プランから、いくつかの食事プログラムを検索・処理する。
処理サーバ１００は、契約書フォローサーバー１２０に契約者端末装置５０を介して送信し、食事メニュー表示装置５５０に出力した。  転地滞在者は出力された食事プログラムを見ながら、  昼食メニュー、夕食メニューの決定を行った。
行動プログラムを全て終了させた転地滞在者は全ての静的検診データと動的検診データを移動通信型身体状況計測機器３０を介してバイタル情報検出装置３１０である携帯型心電計３１１と運動カロリー測定器３１３と血糖値計３１５と、身体情報検出装置３２０である体組成計３２１と身長計３２３と、行動種別検出装置３３０である防水型リストバンド状ＩＣタグ３３１とGPS機能つき携帯電話３３３と、ストレス開放量検出装置３４０であるパルスオキシメーター３４１と脳波計３４３と、疲労度検出装置３５０である乳酸値測定計３５１からバイタル情報データと、身体情報データと、ストレス開放量データと、疲労度データと、行動種別データからなる静的検診データを中央演算処理局の処理サーバ１００に送信した。
処理サーバ１００は、受信した全ての静的検診データと動的検診データを食事・温泉・行動融合化健康検診サーバ１３０に送信し、受信した食事・温泉・行動融合化健康検診サーバ１３０はデータを演算・処理・照合して転地滞在者健康管理データベース１８１に蓄積し、処理サーバ１００に送った。
このデータをチャネルパートナーフォローサーバ１６０は演算・処理して、総合的な検診結果をまとめ、チャネルパートナー端末装置６０を介して、主に医師６１０、温泉・海水療法士６３０、運動療法士６５０、栄養士６７０が検診データチェックをした。
その回答結果を処理サーバ１００に送り、食事・温泉・行動融合化健康検診サーバ１３０が転地滞在者健康管理データベース１８１から転地滞在者のデータを取り出して日常生活行動プラン案を作成して処理サーバ１００に送った。
チャネルパートナーフォローサーバ１６０はチャネルパートナー端末装置６０を介して医師６１０、温泉・海水療法士６３０、運動療法士６５０、栄養士６７０の日常生活行動プラン案に関する確認を受け処理サーバ１００にその結果を送った。
食事・温泉・行動融合化健康検診サーバ１３０は転地滞在者情報管理データベース１８１からデータを取り出し確認照合蓄積をして最終手渡し日常行動プランを作成した。
処理サーバ１００を介して]チャネルパートナーフォローサーバ１６０で演算処理と最終確認をしてチャネルパートナー端末装置６０を介して、主として医師６１０、運動療法士６５０、栄養士６７０の専門家の確認を受けた。  回答に基づいて最終手渡し日常生活行動プランを確定した。
処理サーバ１００は食事・温泉・行動融合化健康検診サーバ１３０を介して転地滞在者情報管理サーバ１８１に蓄積された。
最終手渡し日常生活プランは契約者端末装置２０と転地滞在者端末装置６０に送られて契約者が転地滞在者に説明した。
転地滞在者はこの検診結果に満足して日常生活行動プラン案を受け入れて自宅に帰った後もチャネルパートナー端末装置６０に静的検診データと動的検診データを購入した移動通信型身体状況計測機器３０のバイタル情報検出装置３１０である携帯型心電計３１１と運動カロリー測定器３１３と血糖値計３１５と、身体情報検出装置３２０である体組成計３２１と身長計３２３と、行動種別検出装置３３０である防水型リストバンド状ＩＣタグ３３１とGPS機能つき携帯電話３３３と、ストレス開放量検出装置３４０であるパルスオキシメーター３４１と脳波計３４３と、疲労度検出装置３５０である乳酸値測定計３５１からバイタル情報データと、身体情報データと、ストレス開放量データと、疲労度データと、行動種別データからなる静的検診データと動的検診データを転地滞在者端末装置を介して中央演算処理局の処理サーバ１００に送信していた。
処理サーバ１００は食事・温泉・行動融合化健康検診サーバ１３０に送信し、食事・温泉・行動融合化健康検診サーバ１３０で演算・処理して転地滞在者情報管理データベース１８１に蓄積した。
また、食事・温泉・行動融合化健康検診サーバ１３０は転地滞在者端末装置を介してデータ蓄積した事を転地滞在者に通知した。
転地滞在者は日常生活に戻ったが、その生活の中で疑問を持つことがあり、その疑問を質問として転地滞在者端末装置を介して処理サーバ１００に回答を請求した。
処理サーバ１００は要求された質問を食事・温泉・行動融合化健康検診サーバ１３０に送り食事・温泉・行動融合化健康検診サーバ１３０は転地滞在者健康管理データベース１８１のデータを取り出して照合確認を行った。
その結果を処理サーバ１００はチャネルパートナーフォローサーバ１６０に送りチャネルパートナー端末装置６０を介して医師６１０、温泉・海水療法士６３０、運動療法士６５０、栄養士６７０とチャネルパートナーフォローサーバ１６０が照合確認をした。
その結果をチャネルパートナー端末装置６０を介して専門家による日常生活行動プラン案を処理サーバ１００に送った。
処理サーバ１００から日常生活行動プラン案を送られた食事・温泉・行動融合化健康検診サーバ１３０は転地滞在者健康管理データベース１８１に転地滞在者のデータを蓄積した。
処理サーバ１００は転地滞在者端末装置８０に回答を送り転地滞在者はその回答を得た。
【００６８】
行動プログラムにおける身体状況検診フローを図５に示す。
行動プログラム開始前に移動通信型身体状況計測機器３０のバイタル情報検出装置３１０である携帯型心電計３１１と運動カロリー測定器３１３と血糖値計３１５と、身体情報検出装置３２０である体組成計３２１と身長計３２３と、行動種別検出装置３３０である防水型リストバンドＩＣタグ３３１とＧＰＳ携帯３３３と、ストレス開放量検出装置３４０であるパルスオキシメーター３４１と脳波計３４３と、疲労度検出装置３５０である乳酸値測定計３５１からバイタル情報データと、身体情報データと、ストレス開放量データと、疲労度データと、行動種別データからなる静的検診データを受信し、契約者端末装置２０と中央演算処理局の処理サーバ１００を通し、食事・温泉・行動融合化健康検診サーバが１３０静的検診データを演算・処理し、行動プランデータベース１３１、温泉プラン管理データベース１４１、食事プラン管理データベース１５１に記憶させた。
【００６９】
行動プログラム実行中に移動通信型身体状況計測機器３０のバイタル情報検出装置３１０である携帯型心電計３１１と運動カロリー計測器３１３と血糖値計３１５と、身体情報検出装置３２０である体組成計３２１と身長計３２３と、行動種別検出装置３３０である防水型リストバンドＩＣタグ３３１とＧＰＳ携帯３３３と、ストレス開放量検出装置３４０であるパルスオキシメーター３４１と脳波計３４３と、疲労度検出装置３５０である乳酸値測定計３５１からバイタル情報データと、身体情報データと、ストレス開放量データと、疲労度データと、行動種別データからなる静的検診データを受信し、契約者端末装置２０と中央演算処理局の処理サーバ１００を通し、食事・温泉・行動融合化健康検診サーバ１３０が静的検診データを演算・処理し、行動プランデータベース１３１、温泉プラン管理データベース１４１、食事プラン管理データベース１５１に記憶させた。
【００７０】
行動プログラム実行後に移動通信型身体状況計測機器３０のバイタル情報検出装置３１０である携帯型心電計３１１と運動カロリー計測器３１３と血糖値計３１５と、身体情報検出装置３２０である体組成計３２１と身長計３２３と、行動種別検出装置３３０である防水型リストバンドＩＣタグ３３１とＧＰＳ携帯３３３と、ストレス開放量検出装置３４０であるパルスオキシメーター３４１と脳波計３４３と、疲労度検出装置３５０である乳酸値測定計３５１からバイタル情報データと、身体情報データと、ストレス開放量データと、疲労度データと、行動種別データからなる静的検診データを受信し、契約者端末装置２０と中央演算処理局の処理サーバ１００を通し、食事・温泉・行動融合化健康検診サーバが１３０静的検診データを演算・処理し、行動プランデータベース１３１、温泉プラン管理データベース１４１、食事プラン管理データベース１５１に記憶させた。
【００７１】
行動プログラム終了後、処理サーバ１００は食事・温泉・行動融合化健康検診サーバ１３０を通して転地滞在者の行動プログラムのバイタル情報データと、身体情報データと、ストレス開放量データと、疲労度データと、行動種別データからなる検診データを行動プランデータベース１３１、温泉プラン管理データベース１４１、食事プラン管理データベース１５１から取り出し、チャネルパートナー端末装置６０を通して医師６１０温泉・海水指導士６３０運動療養士６５０栄養士６７０に検診データをチャネルパートナーフォローサーバ１６０で確認照合し、演算・処理して契約者端末装置に結果を送出した。
【００７２】
温泉プランにおける身体状況検診フローを図６に示す。
温泉プログラムを実行した。
まず、入浴前にバイタル情報検出装置３１０である携帯型心電計３１１と運動カロリー測定器３１３と血糖値計３１５と、身体情報検出装置３２０である体組成計３２１と身長計３２３と、行動種別検出装置３３０である防水型リストバンドＩＣタグ３３１とＧＰＳ携帯３３３と、ストレス開放量検出装置３４０であるパルスオキシメーター３４１と脳波計３４３と、疲労度検出装置３５０である乳酸値測定計３５１から静的検診データを移動通信型身体状況計測器３０を通して契約者端末装置２０と中央演算処理局の処理サーバ１００に送信し、処理サーバ１００は食事・温泉・行動融合化健康検診サーバ１３０を通して行動プラン管理データベース１３１と温泉プラン管理データベース１４１と食事プラン管理データベース１５１  に静的データを蓄積した。
【００７３】
温泉プログラム実行中に行動種別検出装置３３０である防水型リストバンド状ＩＣタグ３３１から移動通信型身体状況計測機器３０を通して契約者端末装置２０と中央演算処理局の処理サーバ１００に位置と時間データが送信され、食事・温泉・行動融合化健康検診サーバ１３０は実入浴時間と温泉入浴代謝量を演算し、行動プラン管理データベース１３１は温泉プラン管理データベース１４１と食事プラン管理データベース１５１  に位置と時間データを送信し蓄積した。
【００７４】
温泉プログラム終了後、バイタル情報検出装置３１０である携帯型心電計３１１と運動カロリー計測器３１３と血糖値計３１５と、身体情報検出装置３２０である体組成計３２１と身長計３２３と、行動種別検出装置３３０である防水型リストバンドＩＣタグ３３１とＧＰＳ携帯３３３と、ストレス開放量検出装置３４０であるパルスオキシメーター３４１と脳波計３４３と、疲労度検出装置３５０である乳酸値測定計３５１から移動通信型身体状況計測機器３０を通して、バイタル情報データと、身体情報データと、ストレス開放量データと、疲労度データと、行動種別データと、からなる検診データを受信し、静的検診データを演算・処理し、転地滞在者情報管理データベースに記憶させた。
【００７５】
行動プログラム終了後、処理サーバ１００は食事・温泉・行動融合化健康検診サーバ１３０を通して転地滞在者の行動プログラムのバイタル情報データと、身体情報データと、ストレス開放量データと、疲労度データと、行動種別データからなる検診データを行動プランデータベース１３１、温泉プラン管理データベース１４１、食事プラン管理データベース１５１から取り出し、チャネルパートナー端末装置６０を通して医師６１０温泉・海水指導士６３０運動療養士６５０栄養士６７０に  検診データをチャネルパートナーフォローサーバ１６０で確認照合し、演算・処理して契約者端末装置に結果を送出した。
【００７６】
バイキングプログラムにおける身体状況検診フローを図７に示す。
朝食前に移動通信型身体状況計測機器３０のバイタル情報検出装置３１０である携帯型心電計３１１と運動カロリー測定器３１３と血糖値計３１５と、身体情報検出装置３２０である体組成計３２１と身長計３２３と、行動種別検出装置３３０である防水型リストバンドＩＣタグ３３１とＧＰＳ携帯３３３と、ストレス開放量検出装置３４０であるパルスオキシメーター３４１と脳波計３４３と、疲労度検出装置３５０である乳酸値測定計３５１からバイタル情報データと、身体情報データと、ストレス開放量データと、疲労度データと、行動種別データからなる静的検診データを受信し、契約者端末装置２０と中央演算処理局の処理サーバ１００を通し、食事・温泉・行動融合化健康検診サーバが１３０静的検診データを演算・処理し、行動プランデータベース１３１、温泉プラン管理データベース１４１、食事プラン管理データベース１５１に記憶させた。
【００７７】
行動種別検出装置３３０である防水型リストバンドＩＣタグ３３１とＧＰＳ携帯３３３を持ってレストランに行き、ＩＣタグ装着トレイ５１３を入口で受け取った。
ＩＣタグ装着料理盛皿５１１に盛ってある料理を自分の好きな枚数だけＩＣタグ装着トレイ５１３に載せた。
【００７８】
それぞれ一枚ずつのＩＣタグ装着料理盛皿５１１に盛られた目玉焼き二皿と野菜サラダ皿と海苔と納豆と明太子とソーセージと魚の塩焼きとポテトフライと牛乳２杯とご飯一膳と味噌汁一杯をＩＣタグ装着トレイ５１３に載せたところ、食事メニュー検知装置５１０がＧＰＳ携帯３３３に前日までの行動プログラムによる演算、処理して計算された最適な摂取カロリー量を表示し、その時点でＩＣタグ装着トレイ５１３に載っている料理のカロリー量が４００ｋｃａｌ超えている事と塩分が多い事が分かったのでポテトフライと目玉焼きを戻して朝食を食べ始めた。
【００７９】
食事中にも移動通信型身体状況計測機器３０のバイタル情報検出装置３１０である携帯型心電計３１１と運動カロリー測定器３１３と血糖値計３１５と、身体情報検出装置３２０である体組成計３２１と身長計３２３と、行動種別検出装置３３０である防水型リストバンドＩＣタグ３３１とＧＰＳ携帯３３３と、ストレス開放量検出装置３４０であるパルスオキシメーター３４１と脳波計３４３と、疲労度検出装置３５０である乳酸値測定計３５１からバイタル情報データと、身体情報データと、ストレス開放量データと、疲労度データと、行動種別データからなる動的検診データを受信し、契約者端末装置２０と中央演算処理局の処理サーバ１００を通し、食事・温泉・行動融合化健康検診サーバが１３０静的検診データを演算・処理し、行動プランデータベース１３１、温泉プラン管理データベース１４１、食事プラン管理データベース１５１に記憶させた。
【００８０】
朝食後、移動通信型身体状況計測機器３０のバイタル情報検出装置３１０である携帯型心電計３１１と運動カロリー測定器３１３と血糖値計３１５と、身体情報検出装置３２０である体組成計３２１と身長計３２３と、行動種別検出装置３３０である防水型リストバンドＩＣタグ３３１とＧＰＳ携帯３３３と、ストレス開放量検出装置３４０であるパルスオキシメーター３４１と脳波計３４３と、疲労度検出装置３５０である乳酸値測定計３５１からバイタル情報データと、身体情報データと、ストレス開放量データと、疲労度データと、行動種別データからなる動的検診データを受信し、契約者端末装置２０と中央演算処理局の処理サーバ１００を通し、食事・温泉・行動融合化健康検診サーバが１３０静的検診データを演算・処理し、行動プランデータベース１３１、温泉プラン管理データベース１４１、食事プラン管理データベース１５１に記憶させた。
【実施例１】
【００８１】
［ウォーキングと陶芸と砂むし入浴を組み合わせたプラン１日目］
［到着］
転地滞在者Ａが１１時に、契約者Ｒホテルに到着した。
転地滞在者がホテルの健康保養プランの情報を得て、参加することを申し出た。
［お申込書、事前許諾書および問診表］
お申込書、事前許諾書および問診表の表示に従って、入力した。この入力情報を、契約者端末装置からネットワークで接続された中央演算処理局に送信した。
この形−表１、２のお申込書、事前許諾書、形−表３の問診表データを、ネットワークで接続された契約者端末装置から、中央演算処理局の処理サーバに受信した。
【００８２】
【表１】
2006163859.tif 000003
【００８３】
【表２】
2006163859.tif 000004
【００８４】
【表３】
2006163859.tif 000005
このデータに基づき、お申込書、事前許諾書および問診表データを演算・処理し、転地滞在者情報管理データベースに記憶させた。
【００８５】
［受付可否判断部］
処理サーバは、転地滞在者情報管理データベースのお申込書、事前許諾書および問診表データを取り出し、食事・温泉・行動融合化健康検診サーバに送信した。
食事・温泉・行動融合化健康検診サーバは、お申込書、事前許諾書および問診表データを各種指標と照らし合わせて演算・処理し、受付可否を判断した。
得られた結果を転地滞在者情報管理データベースに記憶させた。
処理サーバは、転地滞在者情報管理データベースの受付可否判断結果を取り出し、契約者フォローサーバに送信した。
契約者フォローサーバは、受付可否判断結果を契約者端末装置に送信した。
契約者端末装置は、受信した受付可否判断結果に基づき、転地滞在者Ａの予約受付を完了させた。
行動種別検出装置である防水型リストバンド状ＩＣタグを装着し、ＧＰＳ機能付き携帯電話を渡した。
【００８６】
［静的検診部：到着時］
到着した時点での静的検診データを得る。
移動通信型身体状況計測装置のうち、身体情報検出装置として、体組成計を用いて、転地滞在者Ａの体重、体脂肪、内臓脂肪、基礎代謝、筋肉量、骨量、体内水分量のデータを得た。
血中酸素飽和度計を用いて血中酸素飽和度を得て、ストレス開放の度合いを演算した。
［動的検診部：到着時］
到着した時点での動的検診データの初期値を得る目的で検診した。
移動通信型身体状況計測装置のうち、バイタル情報検出装置として、転地滞在者Ａに装着した血圧計を用いて、体温、脈拍（心拍数）、血圧のデータを得、運動カロリー測定器を用いて、運動の強さ、継続時間、頻度、運動量、総消費カロリー、歩数のデータを得た。
転地滞在者Ａが希望した移動通信型身体状況計測装置のうち、血糖値計、携帯型心電図計を用いて、血糖値、インシュリン量、心電図、心電波形、心拍リズムを得た。
これらのデータは、装置から直接、契約者端末装置に入力され、さらにネットワークを通じて処理サーバに送信される。
受信された検診データを食事・温泉・行動融合化健康検診サーバで演算・処理し、
転地滞在者情報管理データベースに記憶させた。
【００８７】
［健康保養プラン］
転地滞在者情報管理データベース１８１の検診データと問診表データを取り出し、検診データと問診表データを食事・温泉・行動融合化健康検診サーバ１３０で演算・処理し、得られた一日の健康保養プラン案を契約者端末装置２０へ送信した。
健康保養プラン案を転地滞在者Ａに示し、選択させた。
選択させた結果を処理サーバ１００に送信した。
選択した行動プランの運動代謝量と、基礎代謝量から得られる運動代謝量とを比較し、目的とする一日の総運動代謝量を満たす食事プランを検索・処理した。
食事プラン管理データベース１５１に蓄積された食事プランから、いくつかの食事プログラムを検索・処理した。
契約者端末装置２０に送信し、食事メニュー表示装置５５０に出力した。
この食事プログラムを見ながら、転地滞在者Ａは食事プログラムの選択を行った。
【００８８】
食事・温泉・行動融合化健康検診サーバ１３０で、検診データと問診表データを演算・処理し、契約者情報管理データベース１２１から転地滞在者Ａに対応したレシピデータを取り出した。
行動プラン管理データベース１３１から転地滞在者Ａに対応した行動プランを取り出した。食事プラン管理データベース１５１から転地滞在者Ａに対応した食事メニューを取り出した。温泉プラン管理データベース１４１から転地滞在者Ａに対応した温泉メニューを取り出した。
【００８９】
転地滞在者Ａの検診データと、問診表データと、レシピデータと、行動プランと、食事メニューと、温泉メニューと、を演算・処理し、転地滞在者Ａの健康保養プランを作成し、転地滞在者情報管理データベース１８１へ記憶させた。
転地滞在者情報管理データベース１８１の検診データと問診表データを取り出し、
検診データと問診表データを食事・温泉・行動融合化健康検診サーバ１３０で演算・処理した。
【００９０】
得られた半日の健康保養プラン案を契約者端末装置２０へ送信した。
健康保養プラン案を転地滞在者Ａに示し、選択させた。行動プラン、温泉プランを決めた。  選択させた結果を処理サーバ１００に送信した。
選択した行動プランの運動代謝量と、基礎代謝量から得られる運動代謝量とを比較し、目的とする半日の総運動代謝量を満たす食事プランを検索・処理した。
食事プラン管理データベース１５１に蓄積された食事プランから、いくつかの食事プログラムを検索・処理した。契約者端末装置に送信し、食事メニュー表示装置５５０に出力した。この食事プログラムを見ながら、転地滞在者Ａは食事プログラムの選択を行った。  昼食メニュー、夕食メニューを決めた。半日の健康保養プランを表５に示した。
詳細な各種データを説明した。
【００９１】
【表４】
2006163859.tif 000006
【００９２】
［昼食］
昼食を済ませた後、また静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
午後の行動プログラムを実行した。
【００９３】
［工芸・陶芸プログラム］
工芸・陶芸プログラムを愉しむ。
土練り・紐作り・タタラの基礎技術を習い、湯のみや茶碗を作った。
プログラム実行中および実行後、また静的検診データおよび動的検診データを取得した。移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
［砂むし入浴１５分プログラム］
午後の砂むし入浴１５分プログラムを実行した。
防水型リストバンド状ＩＣタグから送信される位置と時間から、実入浴時間と温泉入浴代謝量を計算した。
【００９４】
［今日の行動の感想］
入浴後、表４に示す体調異常の有無、感想、反省、翌日の希望する行動・温泉プログラムの提出を行った。
【００９５】
【表５】
2006163859.tif 000007
また静的検診データおよび動的検診データを取得した。
［静的検診部］
【００９６】
移動通信型身体状況計測装置のうち、身体情報検出装置として、体組成計を用いて、転地滞在者Ａの体重、体脂肪、内臓脂肪、基礎代謝、筋肉量、骨量、体内水分量のデータを得た。
血中酸素飽和度計を用いて血中酸素飽和度を得て、ストレス開放の度合いを演算した。
［動的検診部］
移動通信型身体状況計測装置のうち、バイタル情報検出装置として、転地滞在者Ａに装着した血圧計を用いて、体温、脈拍（心拍数）、血圧のデータを得、運動カロリー測定器を用いて、運動の強さ、継続時間、頻度、運動量、総消費カロリー、歩数のデータを得た。
転地滞在者Ａが希望した移動通信型身体状況計測装置のうち、血糖値計、携帯型心電図計を用いて、血糖値、インシュリン量、心電図、心電波形、心拍リズムを得た。
移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
摂取カロリーと総運動代謝量とを比較し、夕食の摂取カロリーについて提案した。
転地滞在者Ａは夕食までの間に、夕食メニューの追加を行うために、提案の情報に基づいて、更なる運動をして総運動代謝量を増加させた。
【００９７】
［夕食］
夕食を済ませた後、また静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
［脳活性］
脳活性プログラムのうち、単純計算パターンを実行した。
この結果が、契約者端末装置を介して食事・温泉・行動融合化健康検診サーバに送信され、演算・処理し、転地滞在者情報管理データベースに記憶させた。
就寝前に、また静的検診データおよび動的検診データを取得した。
移動通信型身体状況計測装置から、バイタル情報データと、身体情報データと、ストレス開放量データと、疲労度データと、行動種別データと、脳活性データからなる検診データを受信し、検診データを演算・処理し、転地滞在者情報管理データベースに記憶させた。
［就寝］
火の元の点検をして、消灯した。安眠枕を用いたので、ぐっすりと眠れた。
【実施例２】
【００９８】
［ウォーキングと陶芸と砂むし入浴を組み合わせたプラン２日目］
［起床］
６時３０分に起床した。
［静的検診部：起床時］
起床した時点での静的検診データを得る。
移動通信型身体状況計測装置のうち、身体情報検出装置として、体組成計を用いて、転地滞在者Ａの体重、体脂肪、内臓脂肪、基礎代謝、筋肉量、骨量、体内水分量のデータを得た。
血中酸素飽和度計を用いて血中酸素飽和度を得て、ストレス開放の度合いを演算した。
【００９９】
［動的検診部：起床時］
起床した時点での動的検診データの初期値を得る目的で検診した。
移動通信型身体状況計測装置のうち、バイタル情報検出装置として、転地滞在者Ａに装着した血圧計を用いて、体温、脈拍（心拍数）、血圧のデータを得、運動カロリー測定器を用いて、運動の強さ、継続時間、頻度、運動量、総消費カロリー、歩数のデータを得た。
転地滞在者Ａが希望した移動通信型身体状況計測装置のうち、血糖値計、携帯型心電図計を用いて、血糖値、インシュリン量、心電図、心電波形、心拍リズムを得た。
これらのデータは、装置から直接、契約者端末装置に入力され、さらにネットワークを通じて処理サーバに送信される。
受信された検診データを食事・温泉・行動融合化健康検診サーバで演算・処理し、
転地滞在者情報管理データベースに記憶させた。
【０１００】
［健康保養プラン］
転地滞在者情報管理データベースの検診データと、昨日の検診データ、および本日の希望する食事・行動・温泉プログラムを取り出し、これらのデータに基づいて、食事・温泉・行動融合化健康検診サーバで演算・処理し、得られた一日の健康保養プラン案を契約者端末装置へ送信した。
この健康保養プラン案を転地滞在者Ａに示し、選択させた。選択させた結果を処理サーバに送信した。
選択した行動プランの運動代謝量と、基礎代謝量から得られる運動代謝量とを比較し、目的とする一日の総運動代謝量を満たす食事プランを検索・処理した。
食事プラン管理データベースに蓄積された食事プランから、いくつかの食事プログラムを検索・処理した。
契約者端末装置に送信し、食事メニュー表示装置に出力した。
この食事プログラムを見ながら、転地滞在者Ａは食事プログラムの選択を行った。
【０１０１】
食事・温泉・行動融合化健康検診サーバで、検診データと問診表データを演算・処理し、契約者情報管理データベースから転地滞在者Ａに対応したレシピデータを取り出し、行動プラン管理データベースから転地滞在者Ａに対応した行動プランを取り出し、食事プラン管理データベースから転地滞在者Ａに対応した食事メニューを取り出し、温泉プラン管理データベースから転地滞在者Ａに対応した温泉メニューを取り出し、
転地滞在者Ａの検診データと、問診表データと、レシピデータと、行動プランと、食事メニューと、温泉メニューと、を演算・処理し、転地滞在者Ａの健康保養プランを作成し、転地滞在者情報管理データベースへ記憶させた。
【０１０２】
転地滞在者情報管理データベースの検診データと問診表データを取り出し、検診データと問診表データを食事・温泉・行動融合化健康検診サーバで演算・処理し、得られた一日の健康保養プラン案を契約者端末装置へ送信した。
【０１０３】
健康保養プラン案を転地滞在者Ａに示し、選択させた。
行動プラン、温泉プランを決めた。
選択させた結果を処理サーバに送信した。
選択した行動プランの運動代謝量と、基礎代謝量から得られる運動代謝量とを比較し、目的とする一日の総運動代謝量を満たす食事プランを検索・処理した。
食事プラン管理データベースに蓄積された食事プランから、いくつかの食事プログラムを検索・処理した。
契約者端末装置に送信し、食事メニュー表示装置に出力した。
この食事プログラムを見ながら、転地滞在者Ａは食事プログラムの選択を行った。
朝食メニュー、昼食メニュー、夕食メニューを決めた。
一日の健康保養プランを表６、表７に示した。
【０１０４】
【表６】
2006163859.tif 000008
【０１０５】
【表７】
2006163859.tif 000009
【０１０６】
［朝食］
朝食は、バイキングプログラムを選択したので、バイキングレストランに行った。
ＩＣタグ装着料理皿に盛られた、お好みの順にバイキング料理をＩＣタグ装着トレーに選び取り、ＩＣタグ装着トレーを食事メニュー検知装置に検知させて、そのカロリーをその場で表示させた。
ＧＰＳ機能付き携帯電話のディスプレイに、選択した朝食の摂取カロリーと検知された食事の摂取カロリーが表示された。
それを見て、提案された朝食の摂取カロリーと比較して、さらに料理を追加した。
選択した料理が摂取カロリーに到達したところで、テーブルについて食事をした。
【０１０７】
［行動開始］
午前中のプランに従って、自然休養地区を中心とした市内魚見岳周辺散策コース（距離約５ｋｍ  所要時間６０分〜９０分）をウォーキングした。
転地滞在者Ａの行動に従って送信されるデータを移動通信型身体状況計測機器に受信し、これらを食事・温泉・行動融合化健康検診サーバに送信した。
このサーバで演算・処理して行動プログラムとの相違を検知し、プログラム続行か否かを判断し、続行不可と判断した場合には、ＧＰＳ機能付き携帯電話に警告を送った。
【０１０８】
チェックポイントとの信号またはＧＰＳの位置から、運動代謝量を積算した。
午前中の行動プログラム終了後、静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
【０１０９】
［昼食］
昼食を済ませた後、また静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
午後の行動プログラムを実行した。
【０１１０】
［工芸・陶芸プログラム］
前日に取り掛かった陶芸品である湯のみや茶碗を仕上げた。乾燥・素焼をホテルに頼んだ。次回の完成を楽しみに作業を終えた。湯のみや茶碗を作成中および仕上げた後、また静的検診データおよび動的検診データを取得した。
移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
【０１１１】
［砂むし入浴２０分プログラム］
午後の砂むし入浴２０分プログラムを実行した。
防水型リストバンド状ＩＣタグから送信される位置と時間から、実入浴時間と温泉入浴代謝量を計算した。
入浴後、また静的検診データおよび動的検診データを取得した。
移動通信型身体状況計測装置から、バイタル情報データと、身体情報データと、ストレス開放量データと、疲労度データと、行動種別データと、脳活性データからなる検診データを受信し、検診データを演算・処理し、転地滞在者情報管理データベースに記憶させた。摂取カロリーと総運動代謝量とを比較し、夕食の摂取カロリーについて提案した。
転地滞在者Ａは夕食までの間に、指示の情報に基づいて、提案から余分にカロリーを摂取できるので、夕食メニューの焼酎一杯を追加した。
【０１１２】
［夕食］
夕食を済ませた後、また静的検診データおよび動的検診データを取得した。
移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
【０１１３】
［脳活性］
脳活性プログラムのうち、単純計算パターンを実行した。
この結果が、契約者端末装置を介して食事・温泉・行動融合化健康検診サーバに送信され、演算・処理し、転地滞在者情報管理データベースに記憶させた。
就寝前に、また静的検診データおよび動的検診データを取得した。
移動通信型身体状況計測装置から、バイタル情報データと、身体情報データと、ストレス開放量データと、疲労度データと、行動種別データと、脳活性データからなる検診データを受信し、検診データを演算・処理し、転地滞在者情報管理データベースに記憶させた。
［就寝］
火の元の点検をして、消灯した。安眠枕を用いたので、ぐっすりと眠れた。
【実施例３】
【０１１４】
［ウォーキングと陶芸と砂むし入浴を組み合わせたプラン３日目］
［起床］
６時３０分に起床した。
［静的検診部：起床時］
起床した時点での静的検診データを得る。移動通信型身体状況計測装置のうち、身体情報検出装置として、体組成計を用いて、転地滞在者Ａの体重、体脂肪、内臓脂肪、基礎代謝、筋肉量、骨量のデータを得た。
血中酸素飽和度計を用いて血中酸素飽和度を得て、ストレス開放の度合いを演算した。
［動的検診部：起床時］
起床した時点での動的検診データの初期値を得る目的で検診した。
移動通信型身体状況計測装置のうち、バイタル情報検出装置として、転地滞在者Ａに装着した血圧計を用いて、体温、脈拍（心拍数）、血圧のデータを得、運動カロリー測定器を用いて、運動の強さ、継続時間、頻度、運動量、総消費カロリー、歩数のデータを得た。転地滞在者Ａが希望した移動通信型身体状況計測装置のうち、血糖値計、携帯型心電図計を用いて、血糖値、インシュリン量、心電図、心電波形、心拍リズムを得た。
【０１１５】
これらのデータは、装置から直接、契約者端末装置に入力され、さらにネットワークを通じて処理サーバに送信される。
受信された検診データを食事・温泉・行動融合化健康検診サーバで演算・処理し、
転地滞在者情報管理データベースに記憶させた。
【０１１６】
［健康保養プラン］
転地滞在者情報管理データベースの検診データと、昨日の検診データ、および本日の希望する食事・行動・温泉プログラムを取り出し、これらのデータに基づいて、食事・温泉・行動融合化健康検診サーバで演算・処理し、得られた半日の健康保養プラン案を契約者端末装置へ送信した。
【０１１７】
この健康保養プラン案を転地滞在者Ａに示し、選択させた。
選択させた結果を処理サーバに送信した。選択した行動プランの運動代謝量と、基礎代謝量から得られる運動代謝量とを比較し、目的とする半日の総運動代謝量を満たす食事プランを検索・処理した。食事プラン管理データベースに蓄積された食事プランから、いくつかの食事プログラムを検索・処理した。契約者端末装置に送信し、食事メニュー表示装置に出力した。この食事プログラムを見ながら、転地滞在者Ａは食事プログラムの選択を行った。
【０１１８】
食事・温泉・行動融合化健康検診サーバで、検診データと問診表データを演算・処理し、契約者情報管理データベースから転地滞在者Ａに対応したレシピデータを取り出した。
行動プラン管理データベースから転地滞在者Ａに対応した行動プランを取り出した。食事プラン管理データベースから転地滞在者Ａに対応した食事メニューを取り出した。温泉プラン管理データベースから転地滞在者Ａに対応した温泉メニューを取り出した。転地滞在者Ａの検診データと、問診表データと、レシピデータと、行動プランと、食事メニューと、温泉メニューと、を演算・処理し、転地滞在者Ａの健康保養プランを作成し、転地滞在者情報管理データベースへ記憶させた。
【０１１９】
転地滞在者情報管理データベースの検診データと問診表データを取り出し、検診データと問診表データを食事・温泉・行動融合化健康検診サーバで演算・処理し、得られた半日の健康保養プラン案を契約者端末装置へ送信した。健康保養プラン案を転地滞在者Ａに示し、選択させた。
行動プラン、温泉プランを決めた。選択させた結果を処理サーバに送信した。
【０１２０】
選択した行動プランの運動代謝量と、基礎代謝量から得られる運動代謝量とを比較し、目的とする半日の総運動代謝量を満たす食事プランを検索・処理した。
食事プラン管理データベースに蓄積された食事プランから、いくつかの食事プログラムを検索・処理した。
契約者端末装置に送信し、食事メニュー表示装置に出力した。
この食事プログラムを見ながら、転地滞在者Ａは食事プログラムの選択を行った。
朝食メニューと昼食メニューを決めた。
半日の健康保養プランを表８に示した。
【０１２１】
【表８】
2006163859.tif 000010
【０１２２】
［朝食］
朝食は、バイキングプログラムを選択したので、バイキングレストランに行った。
ＩＣタグ装着料理皿に盛られた、お好みの順にバイキング料理をＩＣタグ装着トレーに選び取り、ＩＣタグ装着トレーを食事メニュー検知装置に検知させて、そのカロリーをその場で表示させた。
ＧＰＳ機能付き携帯電話のディスプレイに、選択した朝食の摂取カロリーと検知された食事の摂取カロリーが表示された。
提案された朝食の摂取カロリーと比較して、一皿、料理を返却した。
選択した料理が摂取カロリーに到達したところで、テーブルについて食事をした。
【０１２３】
［行動開始］
午前中のプランに従って、大気浴を中心とした市内摺ヶ浜海岸散策コース（距離  約５ｋｍ  所要時間６０分〜９０分）をウォーキングした。
転地滞在者Ａの行動に従って送信されるデータを移動通信型身体状況計測機器に受信し、これらを食事・温泉・行動融合化健康検診サーバに送信した。
このサーバで演算・処理して行動プログラムとの相違を検知し、プログラム続行か否かを判断し、続行不可と判断した場合には、ＧＰＳ機能付き携帯電話に警告を送った。
チェックポイントとの信号またはＧＰＳの位置から、運動代謝量を積算した。
午前中の行動プログラム終了後、静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
【０１２４】
［昼食］
昼食を済ませた後、また静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
このデータをチャネルパートナーフォローサーバに送信し、演算・処理して、総合的な検診結果をまとめた。
【０１２５】
この検診結果に基づいて、日常生活行動プラン案を作成し、チャネルパートナー端末装置に送信し、主として医師、運動療法士、栄養士等のチェックを受けた。
回答に基づいて、最終手渡し日常生活行動プランを作成した。チャネルパートナーに確認を受けた。契約者は、転地滞在者にこれを手渡して、内容を説明した。
希望するならば、転地滞在者が今後の検診データを中央演算処理局に送信することで、転地滞在者情報管理データベースに逐次蓄積した。
希望するならば、転地滞在者が今後の質問や日常生活行動プランの請求を中央演算処理局に送信することで、転地滞在者フォローサーバから転地滞在者端末装置に回答が送られる。
行動種別検出装置である防水型リストバンド状ＩＣタグを脱着し、ＧＰＳ機能付き携帯電話を返却させた。
【実施例４】
【０１２６】
［予約申込を利用した陶芸と砂むし入浴を組み合わせたプラン］
［予約申込部］
転地滞在者Ｂが契約者Ｒホテルの健康保養プランの情報を得て、転地滞在者端末装置から契約者Ｒの契約者端末装置にあるホームページを見た。
ホームページを見て興味を持ったので、予約申込をすることにした。
［お申込書、事前許諾書および問診表］
ホテルのホームページから、お申込書、事前許諾書および問診表の表示に従って入力した。この入力情報を、転地滞在者端末装置からネットワークで接続された契約者端末装置に送信した。
この形−表１、２のお申込書、事前許諾書、形−表３の問診表データを、ネットワークで接続された契約者端末装置から、中央演算処理局の処理サーバに受信した。
このデータに基づき、お申込書、事前許諾書および問診表データを演算・処理し、転地滞在者情報管理データベースに記憶させた。
【０１２７】
［受付可否判断部］
処理サーバは、転地滞在者情報管理データベースのお申込書、事前許諾書および問診表データを取り出し、食事・温泉・行動融合化健康検診サーバに送信した。
食事・温泉・行動融合化健康検診サーバは、お申込書、事前許諾書および問診表データを各種指標と照らし合わせて演算・処理し、受付可否を判断した。
得られた結果を転地滞在者情報管理データベースに記憶させた。
処理サーバは、転地滞在者情報管理データベースの受付可否判断結果を取り出し、契約者フォローサーバに送信した。
契約者フォローサーバは、受付可否判断結果を契約者端末装置に送信した。
契約者端末装置は、受信した受付可否判断結果に基づき、転地滞在者Ｂの予約受付を完了させた。
契約者端末装置は、転地滞在者Ｂの予約受付完了通知を転地滞在者端末装置に送信した。
【０１２８】
［到着］
転地滞在者Ｂが１１時に、契約者Ｒホテルに到着した。
ホテルの窓口で、転地滞在者Ｂであることを告げた。
［認証］
契約者端末装置から中央演算処理局の処理サーバに、転地滞在者Ｂの到着を送信した。
処理サーバは、転地滞在者情報管理データベースに転地滞在者Ｂの到着を記憶させた。
行動種別検出装置である防水型リストバンド状ＩＣタグを装着し、ＧＰＳ機能付き携帯電話を渡した。
【０１２９】
［静的検診部：到着時］
到着した時点での静的検診データを得る。
移動通信型身体状況計測装置のうち、身体情報検出装置として、体組成計を用いて、転地滞在者Ｂの体重、体脂肪、内臓脂肪、基礎代謝、筋肉量、骨量、体内水分量のデータを得た。
血中酸素飽和度計を用いて血中酸素飽和度を得て、ストレス開放の度合いを演算した。
［動的検診部：到着時］
到着した時点での動的検診データの初期値を得る目的で検診した。
移動通信型身体状況計測装置のうち、バイタル情報検出装置として、転地滞在者Ｂに装着した血圧計を用いて、体温、脈拍（心拍数）、血圧のデータを得、運動カロリー測定器を用いて、運動の強さ、継続時間、頻度、運動量、総消費カロリー、歩数のデータを得た。
転地滞在者Ｂが希望した移動通信型身体状況計測装置のうち、血糖値計、携帯型心電図計を用いて、血糖値、インシュリン量、心電図、心電波形、心拍リズムを得た。
これらのデータは、装置から直接、契約者端末装置に入力され、さらにネットワークを通じて処理サーバに送信される。
受信された検診データを食事・温泉・行動融合化健康検診サーバで演算・処理し、
転地滞在者情報管理データベースに記憶させた。
【０１３０】
［健康保養プラン］
転地滞在者情報管理データベースの検診データと問診表データを取り出し、検診データと問診表データを食事・温泉・行動融合化健康検診サーバで演算・処理し、得られた一日の健康保養プラン案を契約者端末装置へ送信した。健康保養プラン案を転地滞在者Ｂに示し、選択させた。選択させた結果を処理サーバに送信した。
選択した行動プランの運動代謝量と、基礎代謝量から得られる運動代謝量とを比較し、目的とする一日の総運動代謝量を満たす食事プランを検索・処理した。
食事プラン管理データベースに蓄積された食事プランから、いくつかの食事プログラムを検索・処理した。
契約者端末装置に送信し、食事メニュー表示装置に出力した。
この食事プログラムを見ながら、転地滞在者Ｂは食事プログラムの選択を行った。
【０１３１】
食事・温泉・行動融合化健康検診サーバで、検診データと問診表データを演算・処理し、契約者情報管理データベースから転地滞在者Ｂに対応したレシピデータを取り出した。行動プラン管理データベースから転地滞在者Ｂに対応した行動プランを取り出した。食事プラン管理データベースから転地滞在者Ｂに対応した食事メニューを取り出した。温泉プラン管理データベースから転地滞在者Ｂに対応した温泉メニューを取り出した。
【０１３２】
転地滞在者Ｂの検診データと、問診表データと、レシピデータと、行動プランと、食事メニューと、温泉メニューと、を演算・処理し、転地滞在者Ｂの健康保養プランを作成し、転地滞在者情報管理データベースへ記憶させた。
転地滞在者情報管理データベースの検診データと問診表データを取り出し、
検診データと問診表データを食事・温泉・行動融合化健康検診サーバで演算・処理した。
得られた半日の健康保養プラン案を契約者端末装置へ送信した。
【０１３３】
健康保養プラン案を転地滞在者Ｂに示し、選択させた。
行動プラン、温泉プランを決めた。
選択させた結果を処理サーバに送信した。
選択した行動プランの運動代謝量と、基礎代謝量から得られる運動代謝量とを比較し、目的とする半日の総運動代謝量を満たす食事プランを検索・処理した。
食事プラン管理データベースに蓄積された食事プランから、いくつかの食事プログラムを検索・処理した。
契約者端末装置に送信し、食事メニュー表示装置に出力した。この食事プログラムを見ながら、転地滞在者Ｂは食事プログラムの選択を行った。昼食メニュー、夕食メニューを決めた。半日の健康保養プランを表９に示した。
詳細な各種データを説明した。
【０１３４】
【表９】
2006163859.tif 000011
【０１３５】
［昼食］
昼食を済ませた後、また静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
【０１３６】
午後の行動プログラムを実行した。
［工芸・陶芸プログラム］
工芸・陶芸プログラムを愉しむ。
土練り・紐作り・タタラの基礎技術を習い、湯のみや茶碗を作った。
プログラム実行中および実行後、また静的検診データおよび動的検診データを取得した。移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
［砂むし入浴１５分プログラム］
午後の砂むし入浴１５分プログラムを実行した。
防水型リストバンド状ＩＣタグから送信される位置と時間から、実入浴時間と温泉入浴代謝量を計算した。
【０１３７】
［今日の行動の感想］
入浴後、表４に示す体調異常の有無、感想、反省、翌日の希望する行動・温泉プログラムの提出を行った。
また静的検診データおよび動的検診データを取得した。
［静的検診部］
【０１３８】
移動通信型身体状況計測装置のうち、身体情報検出装置として、体組成計を用いて、転地滞在者Ｂの体重、体脂肪、内臓脂肪、基礎代謝、筋肉量、骨量、体内水分量のデータを得た。
血中酸素飽和度計を用いて血中酸素飽和度を得て、ストレス開放の度合いを演算した。
［動的検診部］
移動通信型身体状況計測装置のうち、バイタル情報検出装置として、転地滞在者Ｂに装着した血圧計を用いて、体温、脈拍（心拍数）、血圧のデータを得、運動カロリー測定器を用いて、運動の強さ、継続時間、頻度、運動量、総消費カロリー、歩数のデータを得た。
転地滞在者Ｂが希望した移動通信型身体状況計測装置のうち、血糖値計、携帯型心電図計を用いて、血糖値、インシュリン量、心電図、心電波形、心拍リズムを得た。
【０１３９】
移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
摂取カロリーと総運動代謝量とを比較し、夕食の摂取カロリーについて提案した。
転地滞在者Ｂは夕食までの間に、夕食メニューの追加を行うために、提案の情報に基づいて、更なる運動をして総運動代謝量を増加させた。
【０１４０】
［夕食］
夕食を済ませた後、また静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
［脳活性］
脳活性プログラムのうち、単純計算パターンを実行した。
この結果が、契約者端末装置を介して食事・温泉・行動融合化健康検診サーバに送信され、演算・処理し、転地滞在者情報管理データベースに記憶させた。
就寝前に、また静的検診データおよび動的検診データを取得した。
移動通信型身体状況計測装置から、バイタル情報データと、身体情報データと、ストレス開放量データと、疲労度データと、行動種別データと、脳活性データからなる検診データを受信し、検診データを演算・処理し、転地滞在者情報管理データベースに記憶させた。
［就寝］
【実施例５】
【０１４１】
［予約申込を利用した、読書と温泉入浴を組み合わせたプラン１日目］
［予約申込部］
転地滞在者Ｃ、転地滞在者Ｄが契約者Ｒホテルの健康保養プランの情報を得て、転地滞在者端末装置から契約者Ｒの契約者端末装置にあるホームページを見た。
ホームページを見て興味を持ったので、予約申込をすることにした。
［お申込書、事前許諾書および問診表］
転地滞在者Ｃは、ホテルのホームページから、お申込書、事前許諾書および問診表の表示に従って、転地滞在者Ｃと転地滞在者Ｄの情報を入力した。この入力情報を、転地滞在者端末装置からネットワークで接続された契約者端末装置に送信した。
【０１４２】
この形−表１、２のお申込書、事前許諾書、形−表３の問診表データを、ネットワークで接続された契約者端末装置から、中央演算処理局の処理サーバに受信した。
このデータに基づき、お申込書、事前許諾書および問診表データを演算・処理し、転地滞在者情報管理データベースに記憶させた。
【０１４３】
［受付可否判断部］
処理サーバは、転地滞在者情報管理データベースのお申込書、事前許諾書および問診表データを取り出し、食事・温泉・行動融合化健康検診サーバに送信した。
食事・温泉・行動融合化健康検診サーバは、お申込書、事前許諾書および問診表データを各種指標と照らし合わせて演算・処理し、受付可否を判断した。
得られた結果を転地滞在者情報管理データベースに記憶させた。
処理サーバは、転地滞在者情報管理データベースの受付可否判断結果を取り出し、契約者フォローサーバに送信した。
契約者フォローサーバは、受付可否判断結果を契約者端末装置に送信した。
契約者端末装置は、受信した受付可否判断結果に基づき、転地滞在者Ｃと転地滞在者Ｄの予約受付を完了させた。
契約者端末装置は、転地滞在者Ｃと転地滞在者Ｄの予約受付完了通知を転地滞在者Ｃの転地滞在者端末装置に送信した。
【０１４４】
［到着］
転地滞在者Ｃと転地滞在者Ｄが１１時に、契約者Ｒホテルに到着した。
ホテルの窓口で、転地滞在者Ｃと転地滞在者Ｄであることを告げた。
［認証］
契約者端末装置から中央演算処理局の処理サーバに、転地滞在者Ｃと転地滞在者Ｄの到着を送信した。
この到着情報と、転地滞在者情報管理データベースから取り出した転地滞在者Ｃと転地滞在者Ｄの予約受付情報を、外部機関端末装置に送信した。
これらのデータから、外部機関端末装置に転地滞在者Ｃと転地滞在者Ｄが本人であることの認証を受け、処理サーバに返信させた。
返信された認証情報を、契約者フォローサーバから契約者端末装置に送信した。
行動種別検出装置である防水型リストバンド状ＩＣタグを装着し、ＧＰＳ機能付き携帯電話を渡した。
【０１４５】
［静的検診部：到着時］
到着した時点での静的検診データを得る。
移動通信型身体状況計測装置のうち、身体情報検出装置として、体組成計を用いて、転地滞在者Ｃと転地滞在者Ｄの体重、体脂肪、内臓脂肪、基礎代謝、筋肉量、骨量、体内水分量のデータを得た。
血中酸素飽和度計を用いて血中酸素飽和度を得て、ストレス開放の度合いを演算した。
【０１４６】
［動的検診部：到着時］
到着した時点での動的検診データの初期値を得る目的で検診した。
移動通信型身体状況計測装置のうち、バイタル情報検出装置として、転地滞在者Ｃと転地滞在者Ｄに装着した血圧計を用いて、体温、脈拍（心拍数）、血圧のデータを得、運動カロリー測定器を用いて、運動の強さ、継続時間、頻度、運動量、総消費カロリー、歩数のデータを得た。
転地滞在者Ｃと転地滞在者Ｄが希望した移動通信型身体状況計測装置のうち、血糖値計、携帯型心電図計を用いて、血糖値、インシュリン量、心電図、心電波形、心拍リズムを得た。
これらのデータは、装置から直接、契約者端末装置に入力され、さらにネットワークを通じて処理サーバに送信される。
受信された検診データを食事・温泉・行動融合化健康検診サーバで演算・処理し、転地滞在者情報管理データベースに記憶させた。
【０１４７】
［健康保養プラン］
転地滞在者情報管理データベースの検診データと問診表データを取り出し、検診データと問診表データを食事・温泉・行動融合化健康検診サーバで演算・処理し、得られた一日の健康保養プラン案を契約者端末装置へ送信した。
健康保養プラン案を転地滞在者Ｃと転地滞在者Ｄに示し、それぞれに選択させた。
選択させた結果を処理サーバに送信した。
選択した行動プランの運動代謝量と、基礎代謝量から得られる運動代謝量とを比較し、目的とする一日の総運動代謝量を満たす食事プランを検索・処理した。
食事プラン管理データベースに蓄積された食事プランから、いくつかの食事プログラムを検索・処理した。
【０１４８】
契約者端末装置に送信し、食事メニュー表示装置に出力した。
この食事プログラムを見ながら、転地滞在者Ｃと転地滞在者Ｄはそれぞれに食事プログラムの選択を行った。食事・温泉・行動融合化健康検診サーバで、検診データと問診表データを演算・処理し、契約者情報管理データベースから、転地滞在者Ｃと転地滞在者Ｄのそれぞれに対応したレシピデータを取り出した。
行動プラン管理データベースから、転地滞在者Ｃと転地滞在者Ｄのそれぞれに対応した行動プランを取り出した。食事プラン管理データベースから、転地滞在者Ｃと転地滞在者Ｄのそれぞれに対応した食事メニューを取り出した。温泉プラン管理データベースから、転地滞在者Ｃと転地滞在者Ｄのそれぞれに対応した温泉メニューを取り出した。
【０１４９】
転地滞在者Ｃと転地滞在者Ｄの検診データと、問診表データと、レシピデータと、行動プランと、食事メニューと、温泉メニューと、を演算・処理し、転地滞在者Ｃと転地滞在者Ｄのそれぞれの健康保養プランを作成し、転地滞在者情報管理データベースへ記憶させた。
転地滞在者情報管理データベースの検診データと問診表データを取り出し、検診データと問診表データを食事・温泉・行動融合化健康検診サーバで演算・処理した。
得られた半日の健康保養プラン案を契約者端末装置へ送信した。
【０１５０】
健康保養プラン案を転地滞在者Ｃと転地滞在者Ｄに示し、選択させた。
行動プラン、温泉プランを決めた。
選択させた結果を処理サーバに送信した。
選択した行動プランの運動代謝量と、基礎代謝量から得られる運動代謝量とを比較し、目的とする半日の総運動代謝量を満たす食事プランを検索・処理した。
食事プラン管理データベースに蓄積された食事プランから、いくつかの食事プログラムを検索・処理した。契約者端末装置に送信し、食事メニュー表示装置に出力した。
この食事プログラムを見ながら、転地滞在者Ｃと転地滞在者Ｄはそれぞれに食事プログラムの選択を行った。昼食メニュー、夕食メニューを決めた。半日の健康保養プランを表１０に示した。詳細な各種データを説明した。
【０１５１】
【表１０】
2006163859.tif 000012
【０１５２】
［昼食］
昼食を済ませた後、また静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
午後の行動プログラムを実行した。
［絵画プログラム］
浜辺にて、絵画プログラムを愉しむ。
絵を描き終わった後、浜辺にて降り注ぐ太陽の下、居眠りをした。
プログラム実行中および実行後、また静的検診データおよび動的検診データを取得した。
移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
【０１５３】
［ホテル温泉入浴１５分プログラム］
午後のホテル温泉入浴１５分プログラムを実行した。
防水型リストバンド状ＩＣタグから送信される位置と時間から、実入浴時間と温泉入浴代謝量を計算した。
［今日の行動の感想］
入浴後、表４に示す体調異常の有無、感想、反省、翌日の希望する行動・温泉プログラムの提出を行った。また静的検診データおよび動的検診データを取得した。
［静的検診部］
【０１５４】
移動通信型身体状況計測装置のうち、身体情報検出装置として、体組成計を用いて、転地滞在者Ｃと転地滞在者Ｄの体重、体脂肪、内臓脂肪、基礎代謝、筋肉量、骨量、体内水分量のデータを得た。
血中酸素飽和度計を用いて血中酸素飽和度を得て、ストレス開放の度合いを演算した。
【０１５５】
［動的検診部］
移動通信型身体状況計測装置のうち、バイタル情報検出装置として、転地滞在者Ｃと転地滞在者Ｄに装着した血圧計を用いて、体温、脈拍（心拍数）、血圧のデータを得、運動カロリー測定器を用いて、運動の強さ、継続時間、頻度、運動量、総消費カロリー、歩数のデータを得た。
転地滞在者Ｃと転地滞在者Ｄが希望した移動通信型身体状況計測装置のうち、血糖値計、携帯型心電図計を用いて、血糖値、インシュリン量、心電図、心電波形、心拍リズムを得た。
移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
摂取カロリーと総運動代謝量とを比較し、夕食の摂取カロリーについて提案した。
転地滞在者Ｃと転地滞在者Ｄは夕食までの間に、夕食メニューの追加を行うために、提案の情報に基づいて、更なる運動をして総運動代謝量を増加させた。
【０１５６】
［夕食］
夕食を済ませた後、また静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
［脳活性］
脳活性プログラムのうち、ゲーム達成パターンを実行した。この結果が、契約者端末装置を介して食事・温泉・行動融合化健康検診サーバに送信され、演算・処理し、転地滞在者情報管理データベースに記憶させた。
就寝前に、また静的検診データおよび動的検診データを取得した。
移動通信型身体状況計測装置から、バイタル情報データと、身体情報データと、ストレス開放量データと、疲労度データと、行動種別データと、脳活性データからなる検診データを受信し、検診データを演算・処理し、転地滞在者情報管理データベースに記憶させた。
［就寝］
【実施例６】
【０１５７】
［予約申込を利用した、散歩と砂むし入浴と読書と温泉入浴を組み合わせたプラン２日目］
［起床］
６時３０分に起床した。
［静的検診部：起床時］
起床した時点での静的検診データを得る。
移動通信型身体状況計測装置のうち、身体情報検出装置として、体組成計を用いて、転地滞在者Ｃと転地滞在者Ｄの体重、体脂肪、内臓脂肪、基礎代謝、筋肉量、骨量、体内水分量のデータを得た。
血中酸素飽和度計を用いて血中酸素飽和度を得て、ストレス開放の度合いを演算した。
【０１５８】
［動的検診部：起床時］
起床した時点での動的検診データの初期値を得る目的で検診した。
移動通信型身体状況計測装置のうち、バイタル情報検出装置として、転地滞在者Ｃと転地滞在者Ｄに装着した血圧計を用いて、体温、脈拍（心拍数）、血圧のデータを得、運動カロリー測定器を用いて、運動の強さ、継続時間、頻度、運動量、総消費カロリー、歩数のデータを得た。
転地滞在者Ｃと転地滞在者Ｄが希望した移動通信型身体状況計測装置のうち、血糖値計、携帯型心電図計を用いて、血糖値、インシュリン量、心電図、心電波形、心拍リズムを得た。
これらのデータは、装置から直接、契約者端末装置に入力され、さらにネットワークを通じて処理サーバに送信される。
受信された検診データを食事・温泉・行動融合化健康検診サーバで演算・処理し、転地滞在者情報管理データベースに記憶させた。
【０１５９】
［健康保養プラン］
転地滞在者情報管理データベースの検診データと、昨日の検診データ、および本日の希望する食事・行動・温泉プログラムを取り出し、これらのデータに基づいて、食事・温泉・行動融合化健康検診サーバで演算・処理し、得られた一日の健康保養プラン案を契約者端末装置へ送信した。
【０１６０】
この健康保養プラン案を転地滞在者Ｃと転地滞在者Ｄに示し、選択させた。
選択させた結果を処理サーバに送信した。
選択した行動プランの運動代謝量と、基礎代謝量から得られる運動代謝量とを比較し、目的とする一日の総運動代謝量を満たす食事プランを検索・処理した。
食事プラン管理データベースに蓄積された食事プランから、いくつかの食事プログラムを検索・処理した。
契約者端末装置に送信し、食事メニュー表示装置に出力した。
この食事プログラムを見ながら、転地滞在者Ｃと転地滞在者Ｄは食事プログラムの選択を行った。
【０１６１】
食事・温泉・行動融合化健康検診サーバで、検診データと問診表データを演算・処理し、契約者情報管理データベースから転地滞在者Ｃと転地滞在者Ｄそれぞれに対応したレシピデータを取り出した。
行動プラン管理データベースから、転地滞在者Ｃと転地滞在者Ｄそれぞれに対応した行動プランを取り出した。食事プラン管理データベースから、転地滞在者Ｃと転地滞在者Ｄそれぞれに対応した食事メニューを取り出した。温泉プラン管理データベースから転地滞在者Ｃと転地滞在者Ｄそれぞれに対応した温泉メニューを取り出した。
転地滞在者Ｃと転地滞在者Ｄの検診データと、問診表データと、レシピデータと、行動プランと、食事メニューと、温泉メニューと、を演算・処理し、転地滞在者Ｃと転地滞在者Ｄそれぞれの健康保養プランを作成し、転地滞在者情報管理データベースへ記憶させた。
【０１６２】
転地滞在者情報管理データベースの検診データと問診表データを取り出し、検診データと問診表データを食事・温泉・行動融合化健康検診サーバで演算・処理し、得られた一日の健康保養プラン案を契約者端末装置へ送信した。
健康保養プラン案を転地滞在者Ｃと転地滞在者Ｄに示し、選択させた。
行動プラン、温泉プランを決めた。
選択させた結果を処理サーバに送信した。選択した行動プランの運動代謝量と、基礎代謝量から得られる運動代謝量とを比較し、目的とする一日の総運動代謝量を満たす食事プランを検索・処理した。食事プラン管理データベースに蓄積された食事プランから、いくつかの食事プログラムを検索・処理した。
契約者端末装置に送信し、食事メニュー表示装置に出力した。この食事プログラムを見ながら、転地滞在者Ｃと転地滞在者Ｄはそれぞれに食事プログラムの選択を行った。
朝食メニュー、昼食メニュー、夕食メニューを決めた。
一日の健康保養プランを表１１、表１２に示した。
【０１６３】
【表１１】
2006163859.tif 000013
【０１６４】
【表１２】
2006163859.tif 000014
【０１６５】
［朝食］
朝食は和食プログラムを選択したので、ＩＣタグ装着料理皿に盛られた和食定食トレーを取り、トレーを食事メニュー検知装置に検知させて、そのカロリーを表示させた。
提案された朝食の摂取カロリーと比較して、さらに和食の小鉢料理を追加した。
選択した料理が摂取カロリーに到達したところで、テーブルについて食事をした。
【０１６６】
［行動開始］
午前中のプランに従って、ホテル前の海岸（距離約２ｋｍ  所要時間３０〜５０分）で大気浴をしながら散策をした。
転地滞在者Ｃと転地滞在者Ｄの行動に従って送信されるデータを移動通信型身体状況計測機器に受信し、これらを食事・温泉・行動融合化健康検診サーバに送信した。
このサーバで演算・処理して行動プログラムとの相違を検知し、プログラム続行か否かを判断し、続行不可と判断した場合には、ＧＰＳ機能付き携帯電話に警告を送った。
チェックポイントとの信号またはＧＰＳの位置から、運動代謝量を積算した。
【０１６７】
［砂むし入浴１５分プログラム］
午後の砂むし入浴１５分プログラムを実行した。
防水型リストバンド状ＩＣタグから送信される位置と時間から、実入浴時間と温泉入浴代謝量を計算した。
午前中の行動プログラム終了後、静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
【０１６８】
［昼食］
昼食を済ませた後、また静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
午後の行動プログラムを実行した。
【０１６９】
［絵画プログラム］
浜辺にて昨日に引き続き、絵画プログラムを愉しむ。
絵を描き終わった後、浜辺にて降り注ぐ太陽の下、居眠りをした。
プログラム実行中および実行後、また静的検診データおよび動的検診データを取得した。
移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
【０１７０】
［ホテル温泉入浴２０分プログラム］
午後のホテル温泉入浴２０分プログラムを実行した。
防水型リストバンド状ＩＣタグから送信される位置と時間から、実入浴時間と温泉入浴代謝量を計算した。
［今日の行動の感想］
入浴後、表４に示す体調異常の有無、感想、反省、翌日の希望する行動・温泉プログラムの提出を行った。
また静的検診データおよび動的検診データを取得した。
［静的検診部］
【０１７１】
移動通信型身体状況計測装置のうち、身体情報検出装置として、体組成計を用いて、転地滞在者Ｃと転地滞在者Ｄの体重、体脂肪、内臓脂肪、基礎代謝、筋肉量、骨量、体内水分量のデータを得た。
血中酸素飽和度計を用いて血中酸素飽和度を得て、ストレス開放の度合いを演算した。
【０１７２】
［動的検診部］
移動通信型身体状況計測装置のうち、バイタル情報検出装置として、転地滞在者Ｃと転地滞在者Ｄに装着した血圧計を用いて、体温、脈拍（心拍数）、血圧のデータを得、運動カロリー測定器を用いて、運動の強さ、継続時間、頻度、運動量、総消費カロリー、歩数のデータを得た。
転地滞在者Ｃと転地滞在者Ｄが希望した移動通信型身体状況計測装置のうち、血糖値計、携帯型心電図計を用いて、血糖値、インシュリン量、心電図、心電波形、心拍リズムを得た。
移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
摂取カロリーと総運動代謝量とを比較し、夕食の摂取カロリーについて提案した。
転地滞在者Ｃと転地滞在者Ｄは夕食までの間に、夕食メニューの追加を行うために、提案の情報に基づいて、更なる運動をして総運動代謝量を増加させた。
【０１７３】
［夕食］
夕食を済ませた後、また静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
【０１７４】
［脳活性］
脳活性プログラムのうち、ゲーム達成パターンを実行した。
この結果が、契約者端末装置を介して食事・温泉・行動融合化健康検診サーバに送信され、演算・処理し、転地滞在者情報管理データベースに記憶させた。
就寝前に、また静的検診データおよび動的検診データを取得した。
移動通信型身体状況計測装置から、バイタル情報データと、身体情報データと、ストレス開放量データと、疲労度データと、行動種別データと、脳活性データからなる検診データを受信し、検診データを演算・処理し、転地滞在者情報管理データベースに記憶させた。
［就寝］
【実施例７】
【０１７５】
［予約申込を利用した、ウォーキングと観光と砂むし入浴を組み合わせたプラン３日目］
［起床］
６時３０分に起床した。
［静的検診部：起床時］
起床した時点での静的検診データを得る。
移動通信型身体状況計測装置のうち、身体情報検出装置として、体組成計を用いて、転地滞在者Ｃ、転地滞在者Ｄの体重、体脂肪、内臓脂肪、基礎代謝、筋肉量、骨量、体内水分量のデータを得た。
血中酸素飽和度計を用いて血中酸素飽和度を得て、ストレス開放の度合いを演算した。
【０１７６】
［動的検診部：起床時］
起床した時点での動的検診データの初期値を得る目的で検診した。
移動通信型身体状況計測装置のうち、バイタル情報検出装置として、転地滞在者Ｃ、転地滞在者Ｄに装着した血圧計を用いて、体温、脈拍（心拍数）、血圧のデータを得た。
運動カロリー測定器を用いて、運動の強さ、継続時間、頻度、運動量、総消費カロリー、歩数のデータを得た。
転地滞在者Ｃ、転地滞在者Ｄが希望した移動通信型身体状況計測装置のうち、血糖値計、携帯型心電図計を用いて、血糖値、インシュリン量、心電図、心電波形、心拍リズムを得た。
これらのデータは、装置から直接、契約者端末装置に入力され、さらにネットワークを通じて処理サーバに送信される。
受信された検診データを食事・温泉・行動融合化健康検診サーバで演算・処理し、
転地滞在者情報管理データベースに記憶させた。
【０１７７】
［健康保養プラン］
転地滞在者情報管理データベースの検診データと、昨日までの検診データ、および本日の希望する食事・行動・温泉プログラムを取り出し、これらのデータに基づいて、食事・温泉・行動融合化健康検診サーバで演算・処理し、得られた一日の健康保養プラン案を契約者端末装置へ送信した。
この健康保養プラン案を転地滞在者Ｃ、転地滞在者Ｄに示し、選択させた。
選択させた結果を処理サーバに送信した。
選択した行動プランの運動代謝量と、基礎代謝量から得られる運動代謝量とを比較し、目的とする一日の総運動代謝量を満たす食事プランを検索・処理した。
【０１７８】
食事プラン管理データベースに蓄積された食事プランから、いくつかの食事プログラムを検索・処理した。契約者端末装置に送信し、食事メニュー表示装置に出力した。
この食事プログラムを見ながら、転地滞在者Ｃ、転地滞在者Ｄは食事プログラムの選択を行った。
食事・温泉・行動融合化健康検診サーバで、検診データと問診表データを演算・処理し、契約者情報管理データベースから、転地滞在者Ｃ、転地滞在者Ｄそれぞれに対応したレシピデータを取り出した。
行動プラン管理データベースから、転地滞在者Ｃ、転地滞在者Ｄそれぞれに対応した行動プランを取り出した。食事プラン管理データベースから転地滞在者Ｃ、転地滞在者Ｄそれぞれに対応した食事メニューを取り出した。温泉プラン管理データベースから転地滞在者Ｃ、転地滞在者Ｄそれぞれに対応した温泉メニューを取り出した。
【０１７９】
転地滞在者Ｃ、転地滞在者Ｄの検診データと、問診表データと、レシピデータと、行動プランと、食事メニューと、温泉メニューと、を演算・処理し、転地滞在者Ｃ、転地滞在者Ｄそれぞれの健康保養プランを作成し、転地滞在者情報管理データベースへ記憶させた。
転地滞在者情報管理データベースの検診データと問診表データを取り出し、検診データと問診表データを食事・温泉・行動融合化健康検診サーバで演算・処理し、得られた一日の健康保養プラン案を契約者端末装置へ送信した。
【０１８０】
健康保養プラン案を転地滞在者Ｃ、転地滞在者Ｄに示し、選択させた。
行動プラン、温泉プランを決めた。
選択させた結果を処理サーバに送信した。選択した行動プランの運動代謝量と、基礎代謝量から得られる運動代謝量とを比較し、目的とする一日の総運動代謝量を満たす食事プランを検索・処理した。食事プラン管理データベースに蓄積された食事プランから、いくつかの食事プログラムを検索・処理した。
【０１８１】
契約者端末装置に送信し、食事メニュー表示装置に出力した。
この食事プログラムを見ながら、転地滞在者Ｃ、転地滞在者Ｄは食事プログラムの選択を行った。朝食メニュー、昼食メニュー、夕食メニューを決めた。
一日の健康保養プランを表１３、表１４に示した。
【０１８２】
【表１３】
2006163859.tif 000015
【０１８３】
【表１４】
2006163859.tif 000016
【０１８４】
［朝食］
朝食は、バイキングプログラムを選択したので、バイキングレストランに行った。
ＩＣタグ装着料理皿に盛られた、お好みの順にバイキング料理をＩＣタグ装着トレーに選び取り、ＩＣタグ装着トレーを食事メニュー検知装置に検知させて、そのカロリーをその場で表示させた。
ＧＰＳ機能付き携帯電話のディスプレイに、選択した朝食の摂取カロリーと検知された食事の摂取カロリーが表示された。
それを見て、提案された朝食の摂取カロリーと比較して、さらに料理を追加した。
選択した料理が摂取カロリーに到達したところで、テーブルについて食事をした。
【０１８５】
［行動開始］
午前中のプランに従って、朝の天然砂むしの風景が楽しめる摺ヶ浜・天然砂むし往復コース（距離約３．５ｋｍ  所要時間５０分〜７０分）をウォーキングした。
転地滞在者Ｃ、転地滞在者Ｄの行動に従って送信されるデータを移動通信型身体状況計測機器に受信し、これらを食事・温泉・行動融合化健康検診サーバに送信した。
このサーバで演算・処理して行動プログラムとの相違を検知し、プログラム続行か否かを判断し、続行不可と判断した場合には、ＧＰＳ機能付き携帯電話に警告を送った。
チェックポイントとの信号またはＧＰＳの位置から、運動代謝量を積算した。
午前中の行動プログラム終了後、静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
【０１８６】
［観光地遊覧プログラム（昼食を含む）］
池田湖・開聞岳・長崎鼻を一巡りする、指宿の最もポピュラーな観光コースをタクシーで周遊した。
周遊の途中、唐船峡でソーメンと川魚料理の昼食を楽しんだ。
転地滞在者Ｃ、転地滞在者Ｄの行動に従って送信されるデータを移動通信型身体状況計測機器に受信し、これらを食事・温泉・行動融合化健康検診サーバに送信した。
このサーバで演算・処理して行動プログラムとの相違を検知し、プログラム続行か否かを判断し、続行不可と判断した場合には、ＧＰＳ機能付き携帯電話に警告を送った。
チェックポイントとの信号またはＧＰＳの位置から、運動代謝量を積算した。
午前中の行動プログラム終了後、静的検診データおよび動的検診データを取得した。
移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
【０１８７】
［砂むし入浴２０分プログラム］
午後の砂むし入浴２０分プログラムを実行した。
防水型リストバンド状ＩＣタグから送信される位置と時間から、実入浴時間と温泉入浴代謝量を計算した。
入浴後、また静的検診データおよび動的検診データを取得した。
移動通信型身体状況計測装置から、バイタル情報データと、身体情報データと、ストレス開放量データと、疲労度データと、行動種別データと、脳活性データからなる検診データを受信し、検診データを演算・処理し、転地滞在者情報管理データベースに記憶させた。
摂取カロリーと総運動代謝量とを比較し、夕食の摂取カロリーについて提案した。
転地滞在者Ｃ、転地滞在者Ｄは夕食までの間に、指示の情報に基づいて、提案から余分にカロリーを摂取できるので、夕食メニューの焼酎一杯を追加した。
【０１８８】
［夕食］
夕食を済ませた後、また静的検診データおよび動的検診データを取得した。
移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
［脳活性］
脳活性プログラムのうち、単純計算パターンを実行した。
この結果が、契約者端末装置を介して食事・温泉・行動融合化健康検診サーバに送信され、演算・処理し、転地滞在者情報管理データベースに記憶させた。
就寝前に、また静的検診データおよび動的検診データを取得した。
移動通信型身体状況計測装置から、バイタル情報データと、身体情報データと、ストレス開放量データと、疲労度データと、行動種別データと、脳活性データからなる検診データを受信し、検診データを演算・処理し、転地滞在者情報管理データベースに記憶させた。
［就寝］
【実施例８】
【０１８９】
［予約申込を利用した、散歩と砂むし入浴を組み合わせたプラン３日目］
［起床］
７時３０分に起床した。
［静的検診部：起床時］
起床した時点での静的検診データを得る。
移動通信型身体状況計測装置のうち、身体情報検出装置として、体組成計を用いて、転地滞在者Ｃ、転地滞在者Ｄの体重、体脂肪、内臓脂肪、基礎代謝、筋肉量、骨量のデータを得た。
血中酸素飽和度計を用いて血中酸素飽和度を得て、ストレス開放の度合いを演算した。
【０１９０】
［動的検診部：起床時］
起床した時点での動的検診データの初期値を得る目的で検診した。
移動通信型身体状況計測装置のうち、バイタル情報検出装置として、転地滞在者Ｃ、転地滞在者Ｄに装着した血圧計を用いて、体温、脈拍（心拍数）、血圧のデータを得た。
運動カロリー測定器を用いて、運動の強さ、継続時間、頻度、運動量、総消費カロリー、歩数のデータを得た。
転地滞在者Ｃ、転地滞在者Ｄが希望した移動通信型身体状況計測装置のうち、血糖値計、携帯型心電図計を用いて、血糖値、インシュリン量、心電図、心電波形、心拍リズムを得た。
これらのデータは、装置から直接、契約者端末装置に入力され、さらにネットワークを通じて処理サーバに送信される。
受信された検診データを食事・温泉・行動融合化健康検診サーバで演算・処理し、
転地滞在者情報管理データベースに記憶させた。
【０１９１】
［健康保養プラン］
転地滞在者情報管理データベースの検診データと、昨日までの検診データ、および本日の希望する食事・行動・温泉プログラムを取り出した。
これらのデータに基づいて、食事・温泉・行動融合化健康検診サーバで演算・処理し、得られた半日の健康保養プラン案を契約者端末装置へ送信した。
この健康保養プラン案を転地滞在者Ｃ、転地滞在者Ｄに示し、選択させた。
選択させた結果を処理サーバに送信した。
選択した行動プランの運動代謝量と、基礎代謝量から得られる運動代謝量とを比較し、目的とする半日の総運動代謝量を満たす食事プランを検索・処理した。
食事プラン管理データベースに蓄積された食事プランから、いくつかの食事プログラムを検索・処理した。
契約者端末装置に送信し、食事メニュー表示装置に出力した。
この食事プログラムを見ながら、転地滞在者Ｃ、転地滞在者Ｄは食事プログラムの選択を行った。
【０１９２】
食事・温泉・行動融合化健康検診サーバで、検診データと問診表データを演算・処理し、契約者情報管理データベースから、転地滞在者Ｃ、転地滞在者Ｄそれぞれに対応したレシピデータを取り出した。行動プラン管理データベースから、転地滞在者Ｃ、転地滞在者Ｄそれぞれに対応した行動プランを取り出した。食事プラン管理データベースから、転地滞在者Ｃ、転地滞在者Ｄそれぞれに対応した食事メニューを取り出した。
温泉プラン管理データベースから、転地滞在者Ｃ、転地滞在者Ｄそれぞれに対応した温泉メニューを取り出した。
【０１９３】
転地滞在者Ｃ、転地滞在者Ｄの検診データと、問診表データと、レシピデータと、行動プランと、食事メニューと、温泉メニューと、を演算・処理し、転地滞在者Ｃ、転地滞在者Ｄそれぞれの健康保養プランを作成し、転地滞在者情報管理データベースへ記憶させた。
転地滞在者情報管理データベースの検診データと問診表データを取り出し、検診データと問診表データを食事・温泉・行動融合化健康検診サーバで演算・処理し、得られた半日の健康保養プラン案を契約者端末装置へ送信した。
健康保養プラン案を転地滞在者Ｃ、転地滞在者Ｄに示し、選択させた。
行動プラン、温泉プランを決めた。
選択させた結果を処理サーバに送信した。
【０１９４】
選択した行動プランの運動代謝量と、基礎代謝量から得られる運動代謝量とを比較し、目的とする半日の総運動代謝量を満たす食事プランを検索・処理した。
食事プラン管理データベースに蓄積された食事プランから、いくつかの食事プログラムを検索・処理した。
契約者端末装置に送信し、食事メニュー表示装置に出力した。
この食事プログラムを見ながら、転地滞在者Ｃ、転地滞在者Ｄは食事プログラムの選択を行った。
朝食メニューと昼食メニューを決めた。
半日の健康保養プランを表１５に示した。
【０１９５】
【表１５】
2006163859.tif 000017
【０１９６】
［朝食］
朝食は、バイキングプログラムを選択したので、バイキングレストランに行った。
ＩＣタグ装着料理皿に盛られた、お好みの順にバイキング料理をＩＣタグ装着トレーに選び取り、ＩＣタグ装着トレーを食事メニュー検知装置に検知させて、そのカロリーをその場で表示させた。
ＧＰＳ機能付き携帯電話のディスプレイに、選択した朝食の摂取カロリーと検知された食事の摂取カロリーが表示された。
提案された朝食の摂取カロリーと比較して、一皿、料理を返却した。
選択した料理が摂取カロリーに到達したところで、テーブルについて食事をした。
【０１９７】
［行動開始］
午前中のプランに従って、ホテル前の海岸（距離約２ｋｍ  所要時間３０〜５０分）で大気浴をしながら散歩をした。
転地滞在者Ｃと転地滞在者Ｄの行動に従って送信されるデータを移動通信型身体状況計測機器に受信し、これらを食事・温泉・行動融合化健康検診サーバに送信した。
このサーバで演算・処理して行動プログラムとの相違を検知し、プログラム続行か否かを判断し、続行不可と判断した場合には、ＧＰＳ機能付き携帯電話に警告を送った。
チェックポイントとの信号またはＧＰＳの位置から、運動代謝量を積算した。
散歩の途中と終了後、静的検診データおよび動的検診データを取得した。
移動通信型身体状況計測装置から、バイタル情報データと、身体情報データと、ストレス開放量データと、疲労度データと、行動種別データからなる検診データを受信し、検診データを演算・処理し、転地滞在者情報管理データベースに記憶させた。
【０１９８】
［砂むし入浴１５分プログラム］
午後の砂むし入浴１５分プログラムを実行した。
防水型リストバンド状ＩＣタグから送信される位置と時間から、実入浴時間と温泉入浴代謝量を計算した。
入浴後、また静的検診データおよび動的検診データを取得した。
移動通信型身体状況計測装置から、バイタル情報データと、身体情報データと、ストレス開放量データと、疲労度データと、行動種別データと、脳活性データからなる検診データを受信し、検診データを演算・処理し、転地滞在者情報管理データベースに記憶させた。
【０１９９】
［昼食］
昼食を済ませた後、また静的検診データおよび動的検診データを取得した。
移動通信型身体状況計測装置から、バイタル情報データと、身体情報データと、ストレス開放量データと、疲労度データと、行動種別データと、からなる検診データを受信し、検診データを演算・処理し、転地滞在者情報管理データベースに記憶させた。
このデータをチャネルパートナーフォローサーバに送信し、演算・処理して、総合的な検診結果をまとめた。
【０２００】
この検診結果に基づいて、日常生活行動プラン案を作成し、チャネルパートナー端末装置に送信し、主として医師、運動療法士、栄養士等のチェックを受けた。回答に基づいて、最終手渡し日常生活行動プランを作成した。
チャネルパートナーに確認を受けた。契約者は、転地滞在者にこれを手渡して、内容を説明した。
希望するならば、転地滞在者が今後の検診データを中央演算処理局に送信することで、転地滞在者情報管理データベースに逐次蓄積した。
希望するならば、転地滞在者が今後の質問や日常生活行動プランの請求を中央演算処理局に送信することで、転地滞在者フォローサーバから転地滞在者端末装置に回答が送られる。
行動種別検出装置である防水型リストバンド状ＩＣタグを脱着し、ＧＰＳ機能付き携帯電話を返却させた。
【図面の簡単な説明】
【０２０１】
【図１】本発明の実施の形態の転地滞在型健康保養システムの構成を示すブロック図である。
【図２】到着時から健康保養プログラム作成までのフロー図である。
【図３】最終日検診から終了までのフロー図である。
【図４】終了後の転地滞在者フォローのフロー図である。
【図５】行動プランにおける身体状況検診フロー図である。
【図６】温泉プランにおける身体状況検診フロー図である。
【図７】バイキングプログラムにおける身体状況検診フロー図である。
【符号の説明】
【０２０２】
８    ネットワーク
１０    中央演算処理局
２０    契約者端末装置
３０    移動通信型身体状況計測機器
４０    温泉プラン管理機器
５０    食事プラン管理機器
６０    チャネルパートナー端末装置
７０    外部機関端末装置
８０    転地滞在者端末装置
９０    スタッフ端末装置
１００  処理サーバ
１２０  契約者フォローサーバ
１３０  食事・温泉・行動融合化健康検診サーバ
１６０  チャネルパートナーフォローサーバ
１７０  セキュリティ管理サーバ
１８０  転地滞在者フォローサーバ
１９０  決済管理サーバ
２１０  ホテル・旅館
２３０  温泉協同組合
２５０  企業・団体
３１０  バイタル情報検出装置
３１１  携帯型心電計
３１３  運動カロリー測定器
３１５  血糖値計
３２０  身体情報検出装置
３２１  体組成計
３２３  身長計
３３０  行動種別検出装置
３３１  防水型リストバンド状ICタグ
３３３  GPS機能付き携帯電話
３３５  アクティブ型RFID位置検知機器
３４０  ストレス開放量検出装置
３４１  血中酸素飽和度計
３４３  脳波計
３５０  疲労度検出装置
３５１  乳酸値測定計
３６０  脳活性検出装置
３６１  単純計算パターン
３６３  ゲーム達成パターン
３６５  物忘れパターン
４１０  温泉メニュー検知装置
４５０  温泉メニュー表示装置
５１０  食事メニュー検知装置
５１１  ICタグ装着料理皿
５１３  ICタグ装着トレイ
５５０  食事メニュー表示装置
６１０  医師
６３０  温泉・海水指導士
６５０  運動療法士
６７０  栄養士
９１０  温泉指導員
９３０  工芸士
９５０  看護指導員
【図１】
2006163859.tif 000018
【図２】
2006163859.tif 000019
【図３】
2006163859.tif 000020
【図４】
2006163859.tif 000021
【図５】
2006163859.tif 000022
【図６】
2006163859.tif 000023
【図７】
2006163859.tif 000024